(57)【要約】  本願は、電子機器を提供する。電子機器は、折り畳み可能なディスプレイ、折り畳み回転軸、および少なくとも１つのカメラを含む。ディスプレイは、第１の表示サブエリアと、第２の表示サブエリアとを含む。折り畳み回転軸は、第１の表示サブエリアと第２の表示サブエリアとを折り畳みまたは展開するように構成されている。少なくとも１つのカメラは、第１の表示サブエリアの背面に配置されている。第１の表示サブエリアと第２の表示サブエリアとが折り畳まれた状態にあるとき、第１の表示サブエリアの背面と第２の表示サブエリアの背面とが対向しており、少なくとも１つのカメラが第２の表示サブエリアの正面カメラとして使用される。従って、本願の実施形態の電子機器は、自撮り機能をサポートすることができ、また、比較的高い画面対本体比をも有することができる。
2021516914.tif 000002
【特許請求の範囲】
【請求項１】
電子機器であって、
折り畳み可能なディスプレイ、折り畳み回転軸、および少なくとも１つのカメラを有し、
前記ディスプレイは、第１の表示サブエリアおよび第２の表示サブエリアを有し、
前記折り畳み回転軸は、前記第１の表示サブエリアと前記第２の表示サブエリアを折り畳みまた展開するように構成されており、
前記少なくとも１つのカメラが前記第１の表示サブエリアの背面に配置され、
前記第１の表示サブエリアと前記第２の表示サブエリアとが折り畳まれた状態にあるときに、前記第１の表示サブエリアの背面と前記第２の表示サブエリアの背面とが対向しており、前記少なくとも１つのカメラが前記第２の表示サブエリアの正面カメラとして使用される、電子機器。
【請求項２】
前記第１の表示サブエリアおよび前記第２の表示サブエリアが折り畳まれていない状態にあるとき、前記ディスプレイが配置されている前記電子機器の第１の端面の面積と、前記ディスプレイの全体の表示エリアの面積との比は、第１の画面対本体比よりも大きく、前記ディスプレイの前記表示エリアの全体は、前記第１の表示サブエリアおよび前記第２の表示サブエリアを有する、請求項１に記載の電子機器。
【請求項３】
前記第１の表示サブエリアと前記第２の表示サブエリアとが折り畳まれた状態にあるとき、前記第１の表示サブエリアが配置された前記電子機器の第２の端面の面積に対する前記第１の表示サブエリアの面積の比が、第２の画面対本体比よりも大きい、請求項１または２に記載の電子機器。
【請求項４】
前記第１の表示サブエリアの面積は、前記第２の表示サブエリアの面積よりも大きく、
前記第１の表示サブエリアおよび前記第２の表示サブエリアが折り畳まれた状態にあるとき、前記少なくとも１つのカメラは、前記第１の表示サブエリアの第１の背面サブエリアに配置され、
前記第１の表示サブエリアの背面は、前記第１の背面サブエリアと第２の背面サブエリアとを有し、前記第１の背面サブエリアは、前記第１の表示サブエリアの背面であって前記第２の表示サブエリアの背面と重ならないエリアを有し、前記第２の背面サブエリアは、前記第１の表示サブエリアの背面であって前記第２の表示サブエリアの背面と重なるエリアを有する、請求項１から３のいずれか１項に記載の電子機器。
【請求項５】
前記電子機器の前記第２の背面サブエリアに対応する本体の厚さと、前記電子機器の前記第２の表示サブエリアに対応する本体の厚さとは、それぞれ第１の厚さ値であり、
前記電子機器の本体の厚さであって、前記第１の背面サブエリアに対応する本体の厚さは第２の厚さ値であり、前記第２の厚さ値は前記第１の厚さ値より大きいまたはこれと等しい、請求項４に記載の電子機器。
【請求項６】
前記第２の厚さ値は、前記第１の厚さ値の２倍である、請求項５に記載の電子機器。
【請求項７】
前記第１の背面サブエリアは、第１のエリアと第２のエリアとを有し、前記少なくとも１つのカメラは前記第１のエリアに配置されており、
前記電子機器の前記第２のエリアに対応する本体の厚さ、前記電子機器の前記第２の背面サブエリアに対応する本体の厚さ、および前記電子機器の前記第２の表示サブエリアに対応する本体の厚さのそれぞれは、第３の厚さ値であり、
前記電子機器の前記第１のエリアに対応する本体の厚さが第４の厚さ値であり、前記第４の厚さ値が前記第３の厚さ値より大きいまたはこれと等しい、請求項４に記載の電子機器。
【請求項８】
前記ディスプレイは、フレキシブルな材料からなるフレキシブルディスプレイである、請求項１から７のいずれか１項に記載の電子機器。
【請求項９】
前記ディスプレイは、振動して音を出すように構成されている、請求項１から８のいずれか１項に記載の電子機器。
【請求項１０】
前記折り畳み回転軸は、前記第１の表示サブエリアおよび前記第２の表示サブエリアが半畳み状態であることを可能にするようにさらに構成されており、
前記第１の表示サブエリアと前記第２の表示サブエリアとが半畳み状態にあるとき、前記第１の表示サブエリアの第１の側縁部と前記第２の表示サブエリアの第２の側縁部とが同一平面上に配置されて前記電子機器をサポートし、前記第１の側縁部と前記第２の側縁部とは２つの離間した側縁部である、請求項１から９のいずれか１項に記載の電子機器。
【請求項１１】
前記電子機器は、前記電子機器の状態を検出するように構成された検出モジュールであって、電子機器の前記状態は、前記第１の表示サブエリアの折り畳み状態と、前記第２の表示サブエリアの折り畳み状態と、前記第１の表示サブエリアと前記第２の表示サブエリアとの間の空間的な位置関係とを有する、検出モジュールと、
前記第１の表示サブエリアおよび／または前記第２の表示を制御して、前記電子機器の状態に基づいて画像を表示するように構成された処理モジュールと、をさらに有する、請求項１から１０のいずれか１項に記載の電子機器。
【請求項１２】
前記折り畳み状態は、前記折り畳まれた状態であり、前記空間的な位置関係は、前記第１の表示サブエリアが上方を向いており、前記第２の表示サブエリアが下方を向いており、前記処理モジュールは、前記第１の表示サブエリアを制御して画像を表示するように具体的に構成されており、
前記折り畳み状態は、前記折り畳まれた状態であり、前記空間的な位置関係は、前記第２の表示サブエリアが上方を向いており、前記第１の表示サブエリアが下方を向いており、前記処理モジュールは、前記第２の表示サブエリアを制御して画像を表示するように具体的に構成されており、
前記折り畳み状態は、前記折り畳まれていない状態であり、前記処理モジュールは、前記第１の表示サブエリアおよび前記第２の表示を制御して画像を表示するように具体的に構成されており、
前記折り畳み状態は半畳み状態であり、前記処理モジュールは、前記第１の表示サブエリアおよび前記第２の表示を制御して画像を表示するように具体的に構成されている、請求項１１に記載の電子機器。
【請求項１３】
前記折り畳み回転軸の長さが前記電子機器の長辺と一致するか、または前記折り畳み回転軸の長さが、前記折り畳まれた状態での前記電子機器の幅未満でない、請求項１から１２のいずれか１項に記載の方法。
【請求項１４】
前記電子機器の前記第１の背面サブエリアに対応する前記本体の厚さが前記第２の厚さ値となるエリアは、収容溝と、前記収容溝に対応するアクセサリとを有する、請求項５に記載の電子機器。
【請求項１５】
前記アクセサリはスタイラスまたはイヤホンである、請求項１４に記載の電子機器。
【請求項１６】
前記電子機器の前記第１の背面サブエリアに対応する前記本体の厚さが前記第２の厚さ値となるエリアは、アンテナ、フラッシュ、マイク、およびボタンを有する、請求項５に記載の電子機器。
【発明の詳細な説明】
【技術分野】
【０００１】
本願は、２０１８年３月１９日に中国国家知識産権局に出願された「電子機器」と題する中国特許出願２０１８１０２２４５００．１の優先権を主張し、その全体が参照により本明細書に組み込まれる。
【０００２】
本願は、電子製品分野、特に電子機器に関する。
【背景技術】
【０００３】
電子機器（例えば、スマートフォンやタブレット）の継続的な進化および発展に伴い、電子機器の画面が大きくなり、電子機器の機能がより多様化している。
【０００４】
しかしながら、電子機器の画面が大きくなると、ユーザに多くの不都合が生じることにもなる。例えば、電子機器はかさばるし、ポータブルでない。
【０００５】
解決手段は、電子機器の体積を不変に維持したまま、電子機器の画面対本体比を大きくすることである。電子機器の画面対本体比が比較的高い場合には、電子機器が比較的大きな画面を有していても、電子機器のサイズが比較的小さい場合がある。従って、画面対本体比が１００％に近いベゼルレス画面を達成することが研究の焦点となっている。
【０００６】
しかしながら、既存の電子機器のある機能機器の制約から、既存の電子機器の画面対本体比は比較的低く、ユーザの要求をほとんど満たすことができない。
【０００７】
従って、電子機器の画面対本体比をいかに大きくするかが解決すべき緊急の問題となる。
【発明の概要】
【０００８】
本願は、電子機器を提供する。電子機器は、比較的高い画面対本体比を有していてもよい。
【０００９】
第１の態様によれば、電子機器が提供される。電子機器は、折り畳み可能なディスプレイと、折り畳み回転軸と、少なくとも１つのカメラとを含み、ディスプレイは、第１の表示サブエリアと第２の表示サブエリアとを含み、
折り畳み回転軸は、第１の表示サブエリアと第２の表示サブエリアを折り畳みまたは展開するように構成されており、少なくとも１つのカメラは、第１の表示サブエリアの背面に配置されており、
第１の表示サブエリアと第２の表示サブエリアとが折り畳まれた状態にあるときに、第１の表示サブエリアの背面と第２の表示サブエリアの背面とが対向しており、少なくとも１つのカメラが第２の表示サブエリアの正面カメラとして使用される。
【００１０】
具体的には、本願の実施形態の電子機器では、ディスプレイの正面ではなく、ディスプレイの背面にカメラが配置されている。本願の実施形態では、ディスプレイの正面にカメラが配置されていないため、本願の実施形態の電子機器は、ベゼルレス画面を求めるユーザの要求を満たすために、比較的高い画面対本体比を有していてもよい。
【００１１】
さらに、少なくとも１つのカメラは、第２の表示サブエリアの正面カメラとして使用することができる。言い換えれば、少なくとも１つのカメラは、第２の表示サブエリアを利用した自撮り機能をサポートすることができる。
【００１２】
従って、本願の実施形態の電子機器は、ディスプレイの正面にカメラを配置することなく、自撮り機能をサポートすることができる。従って、本願の実施形態の電子機器は、自撮り機能をサポートすることができるだけでなく、ベゼルレス画面を求めるユーザの要求を満たすために、比較的高い画面対本体比を有することもできる。
【００１３】
本願の実施形態では、第１の表示サブエリア２１１および第２の表示サブエリア２１２が折り畳まれた状態（言い換えれば、２つの表示サブエリア間の夾角が３６０度）にあり、これは、ディスプレイ２１０が折り畳まれた状態にあること、または電子機器が折り畳まれた状態にあることと表現されてもよく、第１の表示サブエリア２１１及び第２の表示サブエリア２１２が折り畳まれていない状態（２つの表示サブエリア間の夾角は１８０度）であり、これはまた、ディスプレイ２１０が折り畳まれていない状態にあること、又は電子機器が折り畳まれていない状態にあることと表現されてもよく、または、第１の表示サブエリア２１１と第２の表示サブエリア２１２とが半畳み状態（または半閉じ状態）であり（言い換えれば、２つの表示サブエリア間の夾角が１８０度より大きく３６０度未満である）、これは、ディスプレイ２１０が半畳み状態（または半閉じ状態）であること、または電子機器が半畳み状態（または半閉じ状態）であることと表現されてもよい、と理解されるべきである。本願の実施形態は、これに限定されない。
【００１４】
本願の実施形態では、第１の表示サブエリアを第１の表示エリアと称してもよく、第２の表示サブエリアを第２の表示エリアと称してもよいことが理解されるべきである。本願の実施形態は、これに限定されない。
【００１５】
可能な実装例では、第１の表示サブエリアおよび第２の表示サブエリアが折り畳まれていない状態にあるとき、ディスプレイが位置している電子機器の第１の端面の面積に対するディスプレイの全体の表示エリアの面積の比率は、第１の画面対本体比よりも大きく、ディスプレイの全体の表示エリアは、第１の表示サブエリアおよび第２の表示サブエリアを含む。
【００１６】
具体的には、第１の画面対本体比は、９０％、９５％、９８％等であってもよい。本願の実施形態は、これに限定されない。言い換えれば、本願の実施形態では、第１の表示サブエリアと第２の表示サブエリアとが折り畳まれていない状態にあるとき、電子機器の画面対本体比が第１の画面対本体比よりも大きい。
【００１７】
具体的には、本願の実施形態では、電子機器が折り畳まれていない状態にあるときに画面サイズが大きくなる。従って、本願の実施形態の電子機器は、大画面を求めるユーザの要求を満たすことができる。さらに、本願の実施形態の電子機器の画面の４辺は、製品外観エッジまで最大限に拡張することができる。例えば、電子機器の画面対本体比は、１００％であるか、または１００％に近いものであってもよい。従って、本願の実施形態の電子機器は、ベゼルレス画面を求めるユーザの要求を満たすことができる。
【００１８】
また、本願の実施形態の電子機器のディスプレイは、折り畳むことができるので、電子機器の体積が比較的小さく、ユーザが容易に持ち運ぶことができる。従って、本願の実施形態の電子機器は、折り畳まれていない状態では大画面でありたいというユーザの要求を満たすことができ、また、折り畳まれた状態でも容易に保持することができる。これにより、ユーザ体験を向上させることができる。
【００１９】
可能な実装例では、第１の表示サブエリアおよび第２の表示サブエリアが折り畳まれた状態にあるとき、第１の表示サブエリアが配置されている電子機器の第２の端面（折り畳まれた状態の電子機器の正面とも称される）の面積に対する第１の表示サブエリアの面積の比（すなわち、折り畳まれた状態の電子機器の画面対本体比）は、第２の画面対本体比よりも大きい。
【００２０】
具体的には、第２の画面対本体比は、９０％、９５％、９８％等であってもよい。本願の実施形態は、これに限定されない。言い換えれば、本願の実施形態では、第１の表示サブエリアと第２の表示サブエリアとが折り畳まれた状態にあるときに、電子機器の正面の画面対本体比が第２の画面対本体比よりも大きくなっている。例えば、電子機器の正面の画面対本体比は、１００％であるか、または１００％に近いものであってもよい。従って、本願の実施形態の電子機器は、ベゼルレス画面を求めるユーザの要求を満たすことができる。
【００２１】
可能な実装例では、第１の表示サブエリアの面積は、第２の表示サブエリアの面積よりも大きく、第１の表示サブエリアおよび第２の表示サブエリアが折り畳まれた状態にあるとき、少なくとも１つのカメラは、第１の表示サブエリアの第１の背面サブエリアに配置され、第１の表示サブエリアの背面は、第１の背面サブエリアと第２の背面サブエリアとを含み、第１の背面サブエリアは、第１の表示サブエリアの背面であって第２の表示サブエリアの背面と重ならないエリアを含み、第２の背面サブエリアは、第１の表示サブエリアの背面であって第２の表示サブエリアの背面と重なるエリアを含む。
【００２２】
具体的には、本願の実施形態では、少なくとも１つのカメラは、第１の表示サブエリアの背面に配置されている。ディスプレイが折り畳まれていない状態にあるときには、少なくとも１つのカメラを背面カメラとして使用してもよい。ディスプレイが折り畳まれた状態にあるとき、少なくとも１つのカメラは、２つの表示サブエリアのうち重ならないエリア、すなわち、第１の背面サブエリアに具体的に配置されている。従って、少なくとも１つのカメラは、第１の表示サブエリアにおける背面カメラとして使用されてもよいし、第２の表示サブエリアにおける正面カメラとして使用されてもよい。言い換えれば、本願の実施形態の少なくとも１つのカメラは、背面カメラとして使用してもよいし、自撮りをするための正面カメラとして使用してしてもよい。
【００２３】
本願の実施形態では、第１の表示サブエリアの背面に配置された少なくとも１つのカメラは、２つの用途を有していてもよく、すなわち、背面カメラとして使用されてもよいし、正面カメラとして使用されてもよい。従って、本願の実施形態では、正面カメラは、別途設けなくてもよい。従って、本願の実施形態では、ディスプレイの正面にカメラを配置しなくても、自撮り機能をサポートすることができる。従って、本願の実施形態の電子機器は、自撮り機能をサポートすることができるだけでなく、ベゼルレス画面を求めるユーザの要求を満たすために、比較的高い画面対本体比をも有することができる。
【００２４】
可能な実装例では、電子機器の第２の背面サブエリアに対応する本体の厚さと、電子機器の第２の表示サブエリアに対応する本体の厚さとは、それぞれ第１の厚さ値であり、電子機器の第１の背面サブエリアに対応する本体の厚さが第２の厚さ値であり、第２の厚さ値が第１の厚さ値より大きいまたはこれと等しい。
【００２５】
例えば、第２の厚さ値が第１の厚さ値と等しい場合、電子機器全体が折り畳まれていない状態での本体の厚さが同じである。電子機器全体は同じ本体の厚さを有するため、本願の実施形態では、折り畳まれていない状態では、電子機器の４隅が同じ厚さを有していることから、ユーザは電子機器を比較的快適に、かつ自然に保持することができる。従って、ユーザ体験を向上させることができる。
【００２６】
可能な実装例では、第２の厚さ値は、第１の厚さ値の２倍である。
【００２７】
本願の実施形態では、第２の厚さ値が第１の厚さ値の２倍であるため、本願の実施形態では、電子機器が折り畳まれた状態にあるときに、電子機器の第１の表示サブエリアと第２の表示サブエリアとが重なる部分に対応する厚さが第１の厚さ値の２倍、言い換えれば、第２の厚さ値と等しくなる。言い換えれば、折り畳まれた状態では、電子機器の全体的な厚さは変化しない、すなわち、第２の厚さ値である。電子機器全体が同じ本体の厚さを有するため、本願の実施形態では、折り畳まれた状態では、電子機器の４隅が同じ厚さを有しているため、ユーザは電子機器を比較的快適に、かつ自然に保持することができる。従って、ユーザ体験を向上させることができる。
【００２８】
可能な実装例では、第１の背面サブエリアは、第１のエリアと第２のエリアとを含み、少なくとも１つのカメラは第１のエリアに配置されており、電子機器の第２のエリアに対応する本体の厚さ、電子機器の第２の背面サブエリアに対応する本体の厚さ、および電子機器の第２の表示サブエリアに対応する本体の厚さのそれぞれは、第３の厚さ値であり、電子機器の第１のエリアに対応する本体の厚さが第４の厚さ値であり、第４の厚さ値が第３の厚さ値より大きいまたはこれと等しい。
【００２９】
例えば、折り畳まれていない状態では、第１のエリアは、電子機器の背面の４隅のうちの１つを含むエリアである。本願の実施形態は、これに限定されない。
【００３０】
例えば、第４の厚さ値は、第３の厚さ値よりも大きい。例えば、第４の厚さ値は、第３の厚さ値の２倍である。本願の実施形態はこれに限定されない。具体的には、第４の厚さが第３の厚さよりも大きい場合には、折り畳まれていない状態において、全体の本体の厚さに対して、第１のエリアに対応する厚さが残りの部分の本体の厚さよりも大きくなり、残りの部分の本体の厚さが等しくなる。第１のエリアは比較的面積が小さい。従って、折り畳まれていない状態では、狭いエリアのみ、すなわち、少なくとも１つのカメラが配置されている第１のエリアが突出部分である。当該部分は比較的小さく、突出部分は角部にのみ配置されている。従って、本願の実施形態では、折り畳まれていない状態においても、依然としてユーザは電子機器を快適に保持することができ、ユーザ体験を向上させることができる。
【００３１】
可能な実装例では、ディスプレイは、フレキシブルな材料からなるフレキシブルディスプレイである。
【００３２】
この場合、ディスプレイは全体であってもよい。言い換えれば、第１の表示サブエリアと第２の表示サブエリアは分離することができず、一体となっている。折り畳み回転軸の作用下で、ディスプレイが折り畳まれたり、展開されたりしてもよい。
【００３３】
可能な実装例では、ディスプレイは、フレキシブルでない材料からなる。例えば、ディスプレイは、例えば、液晶ディスプレイ（ｌｉｑｕｉｄ  ｃｒｙｓｔａｌ  ｄｉｓｐｌａｙ，  ＬＣＤ）、アクティブマトリクス有機発光ダイオード（ａｃｔｉｖｅ−ｍａｔｒｉｘ  ｏｒｇａｎｉｃ  ｌｉｇｈｔ  ｅｍｉｔｔｉｎｇ  ｄｉｏｄｅ，  ＡＭＯＬＥＤ）、有機発光ダイオード（ｏｒｇａｎｉｃ  ｌｉｇｈｔ−ｅｍｉｔｔｉｎｇ  ｄｉｏｄｅ，  ＯＬＥＤ）などの一般的なディスプレイであってもよい。本願の実施形態は、これに限定されない。この場合、第１の表示サブエリアと第２の表示サブエリアは２つの独立したディスプレイである。折り畳み回転軸の作用下では、第１の表示サブエリアと第２の表示サブエリアとは、同一平面上で共に折り畳まれていてもよいし、展開されていてもよい。折り畳まれていない状態では、大画面に対するユーザの要求を満たすために、２つの独立したディスプレイを１つの大きなディスプレイに結合してもよい。本願の実施形態は、これに限定されない。
【００３４】
可能な実装例では、ディスプレイは振動して音を出すように構成されている。
【００３５】
言い換えれば、本願の実施形態の電子機器は、音を発するための画面をサポートしてもよい。従って、本願の実施形態の電子機器は、イヤピースを備えていなくてもよい。イヤピースを廃棄する必要がないため、電子機器の正面にイヤピースを配置するスペースを確保する必要がない。従って、本願の実施形態のディスプレイは、ベゼルレス画面を求めるユーザの要求を満たすために、比較的高い画面対本体比を有していてもよい。
【００３６】
可能な実装例では、折り畳み回転軸は、第１の表示サブエリアおよび第２の表示サブエリアが半畳み状態であることを可能にするようにさらに構成されており、
第１の表示サブエリアと第２の表示サブエリアとが半畳み状態にあるとき、第１の表示サブエリアの第１の側縁部と第２の表示サブエリアの第２の側縁部とが同一平面上に配置されて電子機器をサポートし、第１の側縁部と第２の側縁部とは２つの離間した側縁部である。
【００３７】
具体的には、半畳み状態では、第１の表示サブエリアと第２の表示サブエリアとが互いをサポートして、同一平面上（例えば、ダイニングテーブル、オフィステーブル、展示カウンター等の上）に自立するようにしてもよい。通常、既存の電子機器は、自立するためのブラケットをさらに備える必要がある。しかしながら、本願の実施形態では、半畳み状態では、２つの表示サブエリアが互いをサポートしていてもよい。従って、本願の実施形態では、電子機器は、別個のブラケットなく自立することができ、電子機器が映画を再生するために使用されたり、カレンダーとして使用されたり、作業台などで使用されたりするシナリオ等に適用可能である。従って、ユーザ体験を向上させることができる。
【００３８】
可能な実装例では、電子機器は、
電子機器の状態を検出するように構成された検出モジュールであって、電子機器の状態は、第１の表示サブエリアの折り畳み状態と、第２の表示サブエリアの折り畳み状態と、第１の表示サブエリアと第２の表示サブエリアとの間の空間的な位置関係とを含み、
第１の表示サブエリアおよび／または第２の表示を制御して、電子機器の状態に基づいて画像を表示するように構成された処理モジュールと、をさらに含む。
【００３９】
具体的には、折り畳み状態は、折り畳まれた状態、折り畳まれていない状態、半畳み状態を含んでいてもよい。空間的な位置関係は、第１の表示サブエリアが上方を向いており、第２の表示サブエリアが下方を向いていること、第１の表示サブエリアが下方を向いており、第２の表示サブエリアが上方を向いていること、第１の表示サブエリアと第２の表示サブエリアとが同じ方向を向いていること、第１の表示サブエリアの方向と第２の表示サブエリアの方向との間の夾角があること（言い換えれば、２つの表示サブエリアが半畳み状態にあること）を含んでいてもよい。夾角の値は１８０度より大きく、３６０度より小さい。
【００４０】
従って、本願の実施形態では、処理モジュールは、検出モジュールによって検出された電子機器の状態に基づいて、ディスプレイの表示形式を自動的に決定してもよく、言い換えれば、第１の表示サブエリアおよび第２の表示サブエリアの１つまたは２つのディスプレイを制御して、画像を表示するようにしてもよい。従って、本願の実施形態の電子機器は、ユーザが電子機器のディスプレイを反転させるなどの動作に基づいて、ユーザが使いやすい形でディスプレイの表示形式を決定することができ、それに対応して対応する表示形式を決定できる。従って、ユーザ体験を向上させることができる。
【００４１】
本願の実施形態の検出モジュールは、重力検出装置、折り畳み回転軸検出装置などを含んでもよいことが理解されるべきである。本願の実施形態は、これに限定されない。重力検出装置は空間的な位置関係を検出し得、折り畳み回転軸検出装置は折り畳み回転軸の状態を検出してもよい。さらに、第１のディスプレイの折り畳み状態と第２のディスプレイの折り畳み状態とを検出してもよい。本願の実施形態では、これに限定されない。
【００４２】
本願の実施形態における処理モジュールは、プロセッサであってもよく、処理モジュールは、検出モジュールによって検出された電子機器の状態に基づいて、電子機器の表示形式を決定してもよいことが理解されるべきである。本願の実施形態は、これに限定されない。
【００４３】
任意で、本願の実施形態では、プロセッサは、１または複数の処理ユニットを含んでもよい。好ましくは、プロセッサは、アプリケーションプロセッサとモデムプロセッサを統合してもよい。アプリケーションプロセッサは、主にオペレーティングシステム、ユーザインタフェース、アプリケーションプログラムなどを処理する。モデムプロセッサは、主に無線通信の処理を行う。モデムプロセッサは、プロセッサに統合されていない場合があることが理解され得る。
【００４４】
可能な実装例において、折り畳み状態は、折り畳まれた状態であり、空間的な位置関係は、第１の表示サブエリアが上方を向いており、第２の表示サブエリアが下方を向いており、処理モジュールは、第１の表示サブエリアを制御して画像を表示するように具体的に構成されており、
折り畳み状態は折り畳まれた状態であり、空間的な位置関係は、第２の表示サブエリアが上方を向いており、第１の表示サブエリアが下方を向いており、処理モジュールは、第２の表示サブエリアが画像を表示するように制御するように具体的に構成されている。
【００４５】
本願の実施形態では、「上方」は水平面に垂直な上方向を表し、「下方」は水平面に垂直な下方向を表すことに注意すべきである。本願の実施形態では、「上方」および「下方」は一般的な概念であってもよいことに注意すべきである。実際の適用においては、第１の表示サブエリアの方向と水平面に垂直な上方向との間の夾角（夾角が９０度未満）がある場合には、第１の表示サブエリアが上方を向くようにしてもよい。同様に、第１の表示サブエリアの方向と水平面に垂直な下方向との間の夾角（夾角が９０度未満）がある場合には、第１の表示サブエリアが下方を向くようにしてもよい。本願の実施形態では、これに限定されない。
【００４６】
具体的には、折り畳まれた状態では、１つのディスプレイが下方を向き、１つのディスプレイが上方を向き、通常、ユーザは下向きのディスプレイを見ることができない。従って、処理モジュールは、画像を表示するために、１つの表示サブエリア、すなわち上向きのディスプレイを制御してもよい。従って、本願の実施形態では、下向きのディスプレイに画像が表示されないようにしているので、電子機器のエネルギー消費量を低減することができ、ユーザ体験を向上させることができる。
【００４７】
可能な実装例では、折り畳み状態は、折り畳まれていない状態であり、処理モジュールは、第１の表示サブエリアおよび第２の表示を制御して画像を表示するように具体的に構成されている。
【００４８】
具体的には、折り畳まれていない状態では、２つの表示サブエリアが大きなディスプレイを形成するようにしてもよい。従って、処理モジュールは、大画面に対するユーザの要求を満たすために、画像を表示するための２つの表示サブエリアを同時に制御してもよい。
【００４９】
可能な実装例では、折り畳み状態は、半畳み状態であり、処理モジュールは、第１の表示サブエリアおよび／または第２の表示を制御して画像を表示するように具体的に構成されている。
【００５０】
具体的には、半畳み状態において、処理モジュールは、１つの表示サブエリアを制御して画像を表示させてもよいし、２つの表示サブエリアを制御して同時に画像を表示させてもよい。本願の実施形態は、これに限定されない。
【００５１】
例えば、実装例では、半畳み状態で、処理モジュールは、第１の表示サブエリアに画像を表示するように制御してもよい。第１の表示サブエリアの面積は、第２の表示サブエリアの面積よりも大きいため、第１の表示サブエリアは、画像を表示する、例えば、動画やウェブページを表示するために使用される。従って、ユーザ体験を向上させることができる。
【００５２】
他の例として、実装例では、半畳み状態では、処理モジュールは、第１の表示サブエリアと第２の表示サブエリアを制御して、同時に画像を表示するようにしてもよい。
【００５３】
具体的には、２人のユーザが対向しており、２人のユーザの間に電子機器が配置されている場合、処理モジュールは、２つの表示サブエリアの両方を制御して画像を表示するようにしてもよい。従って、２人のユーザは、いずれも、それぞれ対応する表示サブエリアに表示されたコンテンツを閲覧することができる。従って、本願の実施形態では、１台の機械を２人のユーザで使用することができ、ユーザ体験を向上させることができる。
【００５４】
具体的には、半畳み状態において、処理モジュールが第１の表示サブエリアと第２の表示サブエリアとを制御して同時に画像を表示させる場合、２つの表示サブエリアには同じコンテンツの画像が表示されることがある。例えば、２つの表示サブエリアの両方に同じ動画像が表示されてもよい。任意で、２つの表示サブエリアは、異なるコンテンツを代替的に表示してもよい。例えば、２人のユーザが異なるアプリケーションを使用している場合、１つの表示サブエリアには１つのアプリケーションの画像が表示され、他の表示サブエリアには他のアプリケーションの画像が表示される。本願の実施形態ではこれに限定されない。従って、本願の実施形態では、１台の機械を２人のユーザで使用することができ、ユーザ体験を向上させることができる。
【図面の簡単な説明】
【００５５】
【図１】従来技術における携帯電話の正面の概略図である。
【００５６】
【図２】本願の実施形態における折り畳まれた状態の電子機器の正面図である。
【００５７】
【図３】本願の実施形態における折り畳まれた状態の電子機器の立体図形である。
【００５８】
【図４】本願の実施形態における折り畳まれた状態の電子機器の上面図である。
【００５９】
【図５】本願の実施形態における折り畳まれた状態の電子機器の背面図である。
【００６０】
【図６】本願の実施形態における折り畳まれた状態の電子機器の背面から見た立体図形である。
【００６１】
【図７Ａ】本願の実施形態における折り畳まれていない状態の電子機器の正面図である。
【００６２】
【図７Ｂ】本願の実施形態における折り畳まれていない状態の電子機器の正面図である。
【００６３】
【図８】本願の実施形態における半畳み状態の電子機器の立体図形である。
【００６４】
【図９】本願の実施形態における折り畳まれていない状態の電子機器の背面図である。
【００６５】
【図１０】本願の実施形態における携帯電話の構造の概略ブロック図である。
【００６６】
【図１１】本願の実施形態における電子機器の概略構造図である。
【００６７】
【図１２】本願の実施形態における電子機器の別の概略構造図である。
【発明を実施するための形態】
【００６８】
以下、添付図面を参照して本願の技術的解決手段を記載する。
【００６９】
図１は、従来技術における携帯電話の正面の概略図である。図１に示す携帯電話１００は、ディスプレイ１１０、正面カメラ１２０、背面カメラ（図示せず）などを含む。図１に示す携帯電話は、複数のアプリケーション機能をサポートしている。例えば、図１に示すように、ディスプレイ１１０に表示されるアプリケーションとしては、天気、株、カメラ、ギャラリー、電子メール、計算機、ツイッター（登録商標）、テンセント、ドラフトなどが挙げられる。さらに、携帯電話１００は、設定機能などをさらに備えている。本願の実施形態は、これに限定されない。
【００７０】
実際の適用では、ユーザは、カメラアプリケーションまたはカメラを呼び出すことができる別のアプリケーションを使用して、正面カメラ１２０を用いて自撮り機能を実装することができる。自撮り機能をサポートするために、図１に示す携帯電話１００は、正面カメラ１２０を備える必要がある。従って、携帯電話１００の画面対本体比が制限される。従って、携帯電話１００の画面対本体比は比較的低く、ベゼルレス画面を求めるユーザの要求を満たすことは困難である。
【００７１】
先述の問題に鑑み、本願の実施形態は、電子機器を提供する。電子機器には、ディスプレイの正面ではなく、ディスプレイの背面にカメラが配置されている。本願の実施形態では、画面の正面にカメラが配置されていないため、本願の実施形態の電子機器は、ベゼルレス画面を求めるユーザの要求を満たすために、比較的高い画面対本体比を有していてよい。
【００７２】
さらに、本願の実施形態におけるディスプレイは、折り畳み可能なディスプレイである。ディスプレイは、第１の表示サブエリアと、第２の表示サブエリアとを含む。ディスプレイが折り畳まれた状態にあるとき、第２の表示サブエリアは、折り畳みにより第１の表示サブエリアの背面側に位置し、カメラと第２の表示サブエリアの両方が第１の表示サブエリアの背面側に位置している。さらに、第１の表示サブエリアが主表示エリアである場合には、カメラを第１の表示サブエリア内の背面カメラとして使用することができ、第２の表示サブエリアが主表示エリアである場合には、カメラを第２の表示サブエリア内の正面カメラとして使用することができる。言い換えれば、カメラは第２の表示サブエリアを利用した自撮り機能をサポートすることができる。従って、本願の実施形態の電子機器は、ディスプレイの正面に配置されたカメラがなくても、自撮り機能をサポートすることができる。従って、本願の実施形態の電子機器は、自撮り機能をサポートできるだけでなく、ベゼルレス画面を求めるユーザの要求を満たすために、比較的高い画面対本体比を有することもできる。
【００７３】
理解および説明を容易にするために、以下では、例示的ではあるが限定されない方法で、添付図面を参照して本願の実施形態における電子機器を詳細に説明する。
【００７４】
本願の実施形態における電子機器は、スマートフォン、タブレット、（パーソナルデジタルアシスタント、ＰＤＡパーソナルデジタルアシスタント）、コンピュータ、ゲームコンソール、ウェアラブルデバイス、タブレット（ポータブルアンドロイド（登録商標）デバイス、ＰＡＤ）などを含むことができることが理解されるべきである。これは、本願の実施形態において限定されない。
【００７５】
電子機器上で起動されるオペレーティングシステムは、モバイルバージョンのアンドロイド（登録商標）（Ａｎｄｒｏｉｄ（登録商標））、モバイルバージョンのウブントゥブ（Ｕｂｕｎｔｕ）、またはティゼン（Ｔｉｚｅｎ）などのＬｉｎｕｘ（登録商標）カーネルベースのオペレーティングシステム、およびＷｉｎｄｏｗｓ（登録商標）、Ｍａｃ  ＯＳ、またはＬｉｎｕｘ（登録商標）などのデスクトップオペレーティングシステムであってよいことが理解されるべきである。しかしながら、本発明はこれに限定されない。
【００７６】
以下、電子機器が携帯電話である例を用いて、本願の実施形態における電子機器を説明する。しかしながら、本願の実施形態はこれに限定されない。電子機器が先述の別の機器である場合、本願の実施形態における携帯電話の以下の記述を参照できる。本明細書では、説明のために例を１つ１つ挙げていない。
【００７７】
以下、図２から図９を参照して、本願の実施形態の電子機器を詳細に説明する。
【００７８】
図２は、本願の実施形態における折り畳まれた状態の電子機器の正面図である。図３は、本願の実施形態における折り畳まれた状態の電子機器の立体図形である。図４は、本願の実施形態における折り畳まれた状態の電子機器の上面図である。図５は、本願の実施形態における折り畳まれた状態の電子機器の背面図である。図６は、本願の実施形態における折り畳まれた状態の電子機器の背面から見た立体図形である。図７Ａおよび図７Ｂは、本願の実施形態における折り畳まれていない状態の電子機器の正面図である。図８は、本願の実施形態における半畳み状態の電子機器の立体図形である。図９は、本願の実施形態における折り畳まれていない状態の電子機器の背面図である。
【００７９】
具体的には、図２から図９に示すように、本願の実施形態における電子機器２００は、折り畳み可能なディスプレイ２１０、折り畳み回転軸２２０、および少なくとも１つのカメラ２３０を含んでよい。
【００８０】
ディスプレイは、第１の表示サブエリア２１１と、第２の表示サブエリア２１２とを含む。
【００８１】
折り畳み回転軸２２０は、第１の表示サブエリア２１１および第２の表示サブエリア２１２を折り畳みまたは展開するように構成されている。
【００８２】
少なくとも１つのカメラ２３０は、第１の表示サブエリア２１１の背面に配置されている。
【００８３】
第１の表示サブエリア２１１と第２の表示サブエリア２１２が折り畳まれた状態にあるとき、第１の表示サブエリア２１１の背面と第２の表示サブエリア２１２の背面とが対向しており、少なくとも１つのカメラ２３０が第２の表示サブエリア２１２の正面カメラとして使用される。
【００８４】
具体的には、本願の実施形態の電子機器では、ディスプレイの正面ではなく、ディスプレイの背面にカメラが配置されている。本願の実施形態では、カメラが画面の正面に配置されていないため、本願の実施形態の電子機器は、ベゼルレス画面を求めるユーザの要求を満たすために、比較的高い画面対本体比を有してよい。
【００８５】
さらに、少なくとも１つのカメラは、第２の表示サブエリアの正面カメラとして使用することができる。言い換えれば、少なくとも１つのカメラは、第２の表示サブエリアを利用した自撮り機能をサポートすることができる。
【００８６】
従って、本願の実施形態の電子機器は、ディスプレイの正面にカメラを配置しなくても、自撮り機能をサポートすることができる。従って、本願の実施形態の電子機器は、自撮り機能をサポートすることができるだけでなく、ベゼルレス画面を求めるユーザの要求を満たすために、比較的高い画面対本体比を有することもできる。
【００８７】
本願の実施形態では、第１の表示サブエリア２１１および第２の表示サブエリア２１２は、折り畳まれた状態（言い換えれば、２つの表示サブエリア間の夾角が３６０度）にあり、これは、ディスプレイ２１０が折り畳まれた状態にあること、または電子機器が折り畳まれた状態にあることと表現されてもよく、第１の表示サブエリア２１１および第２の表示サブエリア２１２が折り畳まれていない状態（２つの表示サブエリア間の夾角が１８０度）であり、これはまた、ディスプレイ２１０が折り畳まれていない状態にあること、または電子機器が折り畳まれていない状態にあることと表現してもよく、第１の表示サブエリア２１１と第２の表示サブエリア２１２とが半畳み状態（または半閉じ状態）であり（言い換えれば、２つの表示サブエリア間の夾角が１８０度より大きく３６０度未満である）、これは、表示部２１０が半畳み状態（または半閉じ状態）であること、または電子機器が半畳み状態（または半閉じ状態）であることと表現されてよいことが理解されるべきである。本願の実施形態は、これに限定されない。
【００８８】
本願の実施形態では、第１の表示サブエリアを第１の表示エリアと称してもよく、第２の表示サブエリアを第２の表示エリアと称してもよいことが理解されるべきである。本願の実施形態は、これに限定されない。
【００８９】
本願の実施形態における「第１」、「第２」などは、単に差別化のために使用されるものであり、本願の実施形態を限定するものと考えるべきではないことが理解されるべきである。実際の適用では、「第１」と「第２」が交換されてよい。本願の実施形態は、これに限定されない。
【００９０】
任意で、実施形態では、ディスプレイ２１０は、振動して音を出すように構成されている。
【００９１】
言い換えれば、本願の実施形態の電子機器は、音を発するための画面をサポートしてよい。図２から図９に示すように、本願の実施形態の電子機器は、音を発するための画面をサポートしているため、イヤピースを配置する必要がない場合がある。イヤピースを配置する必要がないため、電子機器の正面にイヤピースを設置するスペースを確保する必要がない。従って、本願の実施形態のディスプレイは、ベゼルレス画面を求めるユーザの要求を満たすために、比較的高い画面対本体比を有していてよい。
【００９２】
図２から図９は、電子機器が音を発するための画面をサポートし、イヤピースが別途配置されていない場合を示していることが理解されるべきである。代替的に、電子機器は、イヤピースを備えていてよい。例えば、イヤピースは、第１の表示サブエリアの背面側に配置される。本願の実施形態は、これに限定されない。
【００９３】
本願の実施形態に係る電子機器のイヤピースは、第１の表示サブエリアの背面側に配置されているため、電子機器の正面側にイヤピースを配置するためのスペースを確保する必要がない。従って、本願の実施形態のディスプレイは、ベゼルレス画面を求めるユーザの要求を満たすために、比較的高い画面対本体比を有していてよい。任意で、実施形態では、少なくとも１つのカメラ２３０は、１つ、２つ、またはそれ以上のカメラを含んでよい。本願の実施形態は、これに限定されない。
【００９４】
例えば、図５、図６、図９に示すように、少なくとも１つのカメラ２３０は、カメラ２３１とカメラ２３２の２つのカメラを含んでよい。
【００９５】
任意で、図５、図６、および図９に示すように、実施形態では、電子機器２００は、フラッシュ２３３をさらに含んでよい。本願の実施形態は、これに限定されない。
【００９６】
図５、図６、および図９は、電子機器２００が１つのフラッシュ２３３を含む例を示しているに過ぎないことが理解されるべきである。しかしながら、本願の実施形態は、これに限定されない。実際の適用では、電子機器２００は、２つ又はそれより多いフラッシュを含んでよい。
【００９７】
任意で、実施形態では、図７Ａおよび図７Ｂに示すように、第１の表示サブエリア２１１および第２の表示サブエリア２１２が折り畳まれていない状態にあるときに、ディスプレイ２１０が配置されている電子機器の第１の端面２４０（折り畳まれていない状態の電子機器の正面２４０とも称され得る）の面積に対するディスプレイ２１０の表示エリア全体の面積の比（折り畳まれていない状態の電子機器の画面対本体比）が第１の画面対本体比よりも大きく、ディスプレイ２１０の表示エリア全体が第１の表示サブエリア２１１と第２の表示サブエリア２１２とを含む。
【００９８】
本願の実施形態では、第１の端面２４０は、電子機器が展開されたときに、電子機器全体の正面側であってよいことが理解されるべきである。また、第１の端面は、第１の側面または第１の正面と呼ばれてもよい。本願の実施形態は、これに限定されない。図７Ａおよび図７Ｂでは、第１の端面の面積を低い位置の大きい矩形で示し、ディスプレイの表示エリア全体の面積は、図７Ａおよび図７Ｂの低い位置の第１の端面の矩形の中の小さい矩形で示している。ディスプレイ２１０が配置されている電子機器の第１の端面２４０の面積に対するディスプレイ２１０の表示エリア全体の面積の比を、折り畳まれていない状態の電子機器の画面対本体比と称してもよい。
【００９９】
具体的には、第１の画面対本体比は、９０％、９５％、９８％などであってよい。本願の実施形態は、これに限定されない。言い換えれば、本願の実施形態では、第１の表示サブエリア２１１および第２の表示サブエリア２１２が折り畳まれていない状態にあるとき、電子機器の画面対本体比は、第１の画面対本体比よりも大きい。
【０１００】
具体的には、本願の実施形態では、電子機器が折り畳まれていない状態にあるときに画面サイズが大きくなる。従って、本願の実施形態の電子機器は、大画面を求めるユーザの要求を満たすことができる。さらに、本願の実施形態の電子機器の画面の４辺は、製品外観エッジまで最大限に拡張することができる。例えば、折り畳まれていない状態では、電子機器の画面対本体比は、１００％であってよいし、１００％に近いものであってよい。従って、本願の実施形態の電子機器は、ベゼルレス画面を求めるユーザの要求を満たすことができる。
【０１０１】
さらに、本願の実施形態の電子機器のディスプレイは折り畳むことができるので、電子機器の体積が比較的小さく、ユーザが容易に持ち運ぶことができる。従って、本願の実施形態の電子機器は、折り畳まれていない状態では大画面でありたいというユーザの要求を満たすことができ、また、折り畳まれた状態でも容易に保持することができる。これにより、ユーザ体験を向上させることができる。
【０１０２】
任意で、実施形態では、図２に示すように、第１の表示サブエリア２１１および第２の表示サブエリア２１２が折り畳まれた状態にあるとき、第１の表示サブエリア２１１の面積と、第１の表示サブエリア２１１が配置されている電子機器の第２の端面２５０（折り畳まれた状態にある電子機器の正面２５０とも称され得る）の面積との比（すなわち、折り畳まれた状態にある電子機器の画面対本体比）は、第２の画面対本体比よりも大きい。
【０１０３】
本願の実施形態では、第２の端面２５０は、電子機器が折り畳まれたときに、第１の表示サブエリアが位置する、電子機器の端面であってよく、第２の端面は、第２の側面または第２の正面と呼ばれてもよいことが理解されるべきである。本願の実施形態は、これに限定されない。第２の端面の面積は、図２の右側の大きい矩形で示され、第１の表示サブエリアの面積は、図２の右側の第２の端面の矩形の中の小さい矩形で示されている。ディスプレイ２１０が配置されている電子機器の第２の端面２５０の面積に対する第１の表示サブエリア２１１の面積の比を、電子機器が折り畳まれた状態にあるときの第１の表示エリアに対応する画面対本体比と称してもよい。
【０１０４】
具体的には、第２の画面対本体比は、９０％、９５％、９８％等であってよい。本願の実施形態は、これに限定されない。言い換えれば、本願の実施形態では、第１の表示サブエリア２１１と第２の表示サブエリア２１２が折り畳まれた状態にあるとき、電子機器の第１の表示サブエリアに対応する画面対本体比が第２の画面対本体比よりも大きい。例えば、折り畳まれた状態では、電子機器の第１の表示サブエリアに対応する画面対本体比が１００％になっていてよいし、１００％に近い値になっていてよい。従って、本願の実施形態の電子機器は、ベゼルレス画面を求めるユーザの要求を満たすことができる。
【０１０５】
本願の実施形態では、折り畳まれた状態では、第１の表示サブエリアの大部分が平らであり、折り畳み回転軸に対応する折り曲げ位置が湾曲していることが理解されるべきである。また、第２の端面の大部分も平らであり、折り畳み回転軸に対応する位置も湾曲している。言い換えれば、先述の決定された第１の表示サブエリアに対応する画面対本体比は、第１の表示エリア全体の面積（第１の表示エリアの湾曲部及び平坦部を含む）と第２の端面の面積（湾曲部及び平坦部を含む）との比である。
【０１０６】
代替的に、別の実施形態では、本願の実施形態において、第１の表示エリアに対応する画面対本体比が計算されるときに、湾曲部は考慮されないことがある。言い換えれば、折り畳まれた状態では、第１の表示エリアに対応する画面対本体比は、第１の表示エリアの平坦部の面積と第２の端面の平坦部の面積との比である。本願の実施形態は、これに限定されない。
【０１０７】
結論として、本願の実施形態では、折り畳まれていない状態か折り畳まれた状態かに関係なく、電子機器の第１の表示サブエリアが配置されている端面に対応する画面対本体比が比較的大きく、例えば、１００％であってよいし、１００％に近い値であってよいことがわかる。従って、本願の実施形態の電子機器は、折り畳まれていない状態か折り畳まれた状態かに関係なく、ベゼルレス画面を求めるユーザの要求を満たすことができる。
【０１０８】
任意で、実施形態では、第１の表示サブエリア２１１の面積は、第２の表示サブエリア２１２の面積よりも大きい。
【０１０９】
図５および図６に示すように、第１の表示サブエリア２１１および第２の表示サブエリア２１２が折り畳まれた状態にあるとき、少なくとも１つのカメラ２３０は、第１の表示サブエリア２１１の第１の背面サブエリア２１３に配置されている。
【０１１０】
第１の表示サブエリア２１１の背面は、第１の背面サブエリア２１３と第２の背面サブエリア２１４とを含み、第１の背面サブエリア２１３は、第１の表示サブエリア２１１の背面であって第２の表示サブエリア２１２の背面と重ならないエリアを含み、第２の背面サブエリア２１４は、第１の表示サブエリア２１１の背面であって第２の表示サブエリア２１２の背面と重なるエリアを含む。
【０１１１】
具体的には、本願の実施形態では、少なくとも１つのカメラ２３０は、第１の表示サブエリア２１１の背面に配置されている。ディスプレイ２１０が折り畳まれていない状態にあるとき、少なくとも１つのカメラ２３０を背面カメラとして使用してよい。ディスプレイ２１０が折り畳まれた状態にあるとき、少なくとも１つのカメラ２３０は、２つの表示サブエリアのうち重ならないエリア、すなわち第１の背面サブエリア２１３に具体的に配置される。従って、少なくとも１つのカメラ２３０は、第１の表示サブエリア２１１の背面カメラとして使用されてよいし、または第２の表示サブエリア２１２の正面カメラとして使用されてよい。言い換えれば、本願の実施形態の少なくとも１つのカメラは、背面カメラとして使用してよいし、または正面カメラとして使用して自撮りをするようにしてよい。
【０１１２】
本願の実施形態では、第１の表示サブエリアの背面に配置された少なくとも１つのカメラは、２つの用途を有していてよく、すなわち、背面カメラとして使用されてよいし、または正面カメラとして使用されてよい。従って、本願の実施形態では、正面カメラは、別途配置しなくてもよい。従って、本願の実施形態では、ディスプレイの正面にカメラを配置しなくても、自撮り機能をサポートすることができる。
【０１１３】
従って、本願の実施形態の電子機器は、自撮り機能をサポートすることができるだけでなく、ベゼルレス画面を求めるユーザの要求を満たすために、比較的高い画面対本体比を有することもできる。
【０１１４】
任意で、実施形態では、図４に示すように、電子機器の第２の背面サブエリア２１４に対応する本体の厚さと、電子機器の第２の表示サブエリア２１２に対応する本体の厚さとは、それぞれ第１の厚さ値であり、電子機器の本体の厚さであって、第１の背面サブエリア２１３に対応する本体の厚さは第２の厚さ値であり、第２の厚さ値は第１の厚さ値より大きいまたはこれと等しい。
【０１１５】
具体的には、本願の実施形態では、電子機器の少なくとも１つのカメラ２３０が配置されているエリア、すなわち第１の背面サブエリア２１３、に対応する本体の厚さは、電子機器の別のエリアに対応する本体の厚さより大きいまたはこれと等しくてよい。
【０１１６】
例えば、第２の厚さ値が第１の厚さ値と等しい場合には、折り畳まれていない状態での電子機器全体は同じ本体の厚さを有する。電子機器全体は同じ本体の厚さを有するため、本願の実施形態では、折り畳まれていない状態では、電子機器の４隅が同じ厚さを有しているため、ユーザは電子機器を比較的快適に、かつ自然に保持する。従って、ユーザ体験を向上させることができる。
【０１１７】
任意で、別の実施形態では、図４に示すように、第２の厚さ値は、第１の厚さ値の２倍である。
【０１１８】
本願の実施形態では、第２の厚さ値が第１の厚さ値の２倍であるため、本願の実施形態では、電子機器が折り畳まれた状態にあるときに、電子機器の第１の表示サブエリアと第２の表示サブエリアとが重なる部分に対応する厚さが第１の厚さ値の２倍、言い換えれば、第２の厚さ値と等しくなる。言い換えれば、折り畳まれた状態では、電子機器の全体的な厚さは変化しない、すなわち第２の厚さ値である。電子機器全体は同じ本体の厚さを有するため、本願の実施形態では、折り畳まれた状態では、電子機器の４隅が同じ厚さを有しているため、ユーザは電子機器を比較的快適に、かつ自然に保持する。従って、ユーザ体験を向上させることができる。
【０１１９】
先述の本願の実施形態では、電子機器の第２の背面サブエリア２１４と第１の表示サブエリア２１２に対応する本体の厚さが等しい場合、すなわち、それぞれが第１の厚さ値となる場合について説明した。代替的に、第２の背面サブエリア２１４に対応する本体の厚さ値は、第１の表示サブエリア２１２に対応する本体の厚さ値と等しくなくてよい。例えば、第２の背面サブエリア２１４に対応する本体の厚さ値は、第１の表示サブエリア２１２に対応する本体の厚さ値よりも大きいか、または小さい。さらに別の実施形態では、第２の背面サブエリア２１４に対応する本体の厚さ値と、第１の表示サブエリア２１２に対応する本体の厚さ値との和は、第１の背面サブエリア２１４に対応する本体の厚さ値と等しい。
【０１２０】
第２の背面サブエリア２１４に対応する本体の厚さ値と第１の表示サブエリア２１２に対応する本体の厚さ値との和が第１の背面サブエリア２１４に対応する本体の厚さ値と等しくなるため、折り畳まれた状態では、電子機器全体の厚さが変化しない、すなわち、第１の背面サブエリア２１４に対応する本体の厚さ値と等しい。電子機器全体は同じ本体の厚さを有するため、本願の実施形態では、折り畳まれた状態では、電子機器の４隅が同じ厚さを有しているため、ユーザは電子機器を比較的快適に、かつ自然に保持することができる。従って、ユーザ体験を向上させることができる。
【０１２１】
先述の第１の背面サブエリアの厚さが第２の厚さ値である場合を限定した。任意で、第１の背面サブエリアは、第１のエリアと第２のエリアとに分割されていてよく、第１のエリアに対応する本体の厚さは、第２のエリアに対応する本体の厚さと同じであってよいし、または異なるものであってよい。
【０１２２】
具体的には、別の実施形態では、第１の背面サブエリア２１３は、第１のエリアと第２のエリアとを含み、少なくとも１つのカメラが第１のエリアに配置されており、電子機器の第２のエリアに対応する本体の厚さ、電子機器の第１の背面サブエリア２１３に対応する本体の厚さ、および電子機器の第２の表示サブエリア２１２に対応する本体の厚さは、それぞれ第３の厚さ値であり、電子機器の第１のエリアに対応する本体の厚さが第４の厚さ値であり、第４の厚さ値が第３の厚さ値より大きいまたはこれと等しい。
【０１２３】
例えば、折り畳まれていない状態では、第１のエリアは、電子機器の背面の４隅のうちの１つを含むエリアである。本願の実施形態は、これに限定されない。
【０１２４】
例えば、第４の厚さ値は、第３の厚さ値よりも大きい。例えば、第４の厚さ値は、第３の厚さ値の２倍である。本願の実施形態は、これに限定されない。
【０１２５】
具体的には、第４の厚さが第３の厚さよりも大きい場合には、折り畳まれていない状態において、全体の本体の厚さに対して、第１のエリアに対応する厚さが残りの部分の本体の厚さよりも大きく、残りの部分は等しい本体の厚さを有する。第１のエリアは比較的小さい面積を有する。従って、折り畳まれていない状態では、小さい面積のみ、すなわち、少なくとも１つのカメラが配置されている第１のエリアが突出部分である。この部分は比較的小さく、突出部分は角部にのみ配置されている。従って、本願の実施形態では、折り畳まれていない状態において、依然としてユーザは電子機器を快適に保持することができ、ユーザ体験を向上させることができる。
【０１２６】
任意で、実施形態では、図８に示すように、折り畳み回転軸は、第１の表示サブエリア２１１および第２の表示サブエリア２１２が半畳み状態にあることを可能にするように構成されており、第１の表示サブエリア２１１と第２の表示サブエリア２１２が半畳み状態にあるとき、第１の表示サブエリアの第１の側縁部２１７と第２の表示サブエリアの第２の側縁部２１８とが同一平面上に配置されて電子機器をサポートし、第１の側縁部２１７と第２の側縁部２１８とが２つの離間した側縁部となっている。
【０１２７】
具体的には、図８に示すように、半畳み状態では、第１の表示サブエリア２１１と第２の表示サブエリア２１２とが互いをサポートして、同一平面上（例えば、ダイニングテーブル、オフィステーブル、または展示カウンターの上）に自立するようにしてよい。通常、既存の電子機器は、自立するためのブラケットをさらに備える必要がある。しかしながら、本願の実施形態では、半畳み状態では、２つの表示サブエリアが互いをサポートしてよい。従って、本願の実施形態では、電子機器は、別個のブラケットなしで自立することができ、電子機器が映画を再生するために使用されたり、カレンダーとして使用されたり、作業台などで使用されたりするなどのシナリオに適用可能である。従って、ユーザ体験を向上させることができる。
【０１２８】
任意で、実施形態では、ディスプレイは、フレキシブルな材料からなるフレキシブルディスプレイである。
【０１２９】
この場合、図２から図９に示すように、ディスプレイ２１０は全体である。言い換えれば、電子機器は、１つの折り畳み可能なディスプレイ２１０のみを有している。言い換えれば、第１の表示サブエリア２１１と第２の表示サブエリア２１２とは、分離することができず、一体となっている。ディスプレイ２１０は、折り畳み回転軸２２０の作用下で折り畳まれていてよいし、展開されていてもよい。
【０１３０】
図２から図９は、電子機器のディスプレイがフレキシブルディスプレイである場合を示していることが理解されるべきである。言い換えれば、電子機器のディスプレイは曲がっていてよい。しかしながら、本願の実施形態は、これに限定されない。
【０１３１】
例えば、代替的に、実施形態では、ディスプレイは、例えば、液晶ディスプレイ（ｌｉｑｕｉｄ  ｃｒｙｓｔａｌ  ｄｉｓｐｌａｙ，  ＬＣＤ）、アクティブマトリクス有機発光ダイオード（ａｃｔｉｖｅ−ｍａｔｒｉｘ  ｏｒｇａｎｉｃ  ｌｉｇｈｔ  ｅｍｉｔｔｉｎｇ  ｄｉｏｄｅ，  ＡＭＯＬＥＤ）、または有機発光ダイオード（ｏｒｇａｎｉｃ  ｌｉｇｈｔ−ｅｍｉｔｔｉｎｇ  ｄｉｏｄｅ，  ＯＬＥＤ）などの一般的なディスプレイであってもよい。本願の実施形態は、これに限定されない。この場合、第１の表示サブエリアと第２の表示サブエリアとは、２つの独立したディスプレイであってよい。折り畳み回転軸の作用下で、第１の表示サブエリアと第２の表示サブエリアとは、同一平面上であわせて折り畳まれていてよいし、または展開されていてよい。折り畳まれていない状態では、大画面に対するユーザの要求を満たすために、２つの独立したディスプレイを１つの大きなディスプレイに結合してよい。本願の実施形態は、これに限定されない。
【０１３２】
任意で、実施形態では、電子機器は、検出モジュールおよび処理モジュール（図示せず）をさらに含む。
【０１３３】
具体的には、検出モジュールは、電子機器の状態を検出するように構成されている。電子機器の状態は、第１の表示サブエリアの折り畳み状態と、第２の表示サブエリアの折り畳み状態と、第１の表示サブエリアと第２の表示サブエリアとの間の空間的な位置関係とを含む。
【０１３４】
処理モジュールは、電子機器の状態に基づいて画像を表示するように第１の表示サブエリアおよび／または第２の表示を制御するように構成されている。
【０１３５】
具体的には、折り畳み状態は、折り畳まれた状態、折り畳まれていない状態、および半畳み状態を含んでいてよい。空間的な位置関係は、第１の表示サブエリアが上方を向いており、第２の表示サブエリアが下方を向いていること、第１の表示サブエリアが下方を向いており、第２の表示サブエリアが上方を向いていること、第１の表示サブエリアと第２の表示サブエリアとが同じ方向を向いていること、または第１の表示サブエリアの方向と第２の表示サブエリアの方向との間の夾角があること（言い換えれば、２つの表示サブエリアが半畳み状態にあること）を含んでいてよい。夾角の値は１８０度より大きく、３６０度より小さい。
【０１３６】
従って、本願の実施形態では、処理モジュールは、検出モジュールによって検出された、電子機器の状態に基づいて、ディスプレイの表示形式を自動的に決定してよく、言い換えれば、第１の表示サブエリアおよび第２の表示サブエリアの１つまたは２つのディスプレイを制御して、画像を表示するようにしてよい。従って、本願の実施形態の電子機器は、ユーザが電子機器のディスプレイを反転させるなどの動作に基づいて、ユーザが使いやすい形でディスプレイの表示形式を決定することができ、それに対応して対応する表示形式を決定できる。従って、ユーザ体験を向上させることができる。
【０１３７】
本願の実施形態の検出モジュールは、重力検出装置、折り畳み回転軸検出装置などを含んでよいことが理解されるべきである。本願の実施形態は、これに限定されない。重力検出装置は空間的な位置関係を検出してよく、折り畳み回転軸検出装置は折り畳み回転軸の状態を検出してよい。さらに、第１のディスプレイの折り畳み状態と第２のディスプレイの折り畳み状態とを検出してよい。本願の実施形態は、これに限定されない。
【０１３８】
本願の実施形態における処理モジュールは、プロセッサであってよく、処理モジュールは、電子機器の状態であって検出モジュールによって検出された状態に基づいて、電子機器の表示形式を決定してよいことが理解されるべきである。本願の実施形態は、これに限定されない。
【０１３９】
任意で、本願の実施形態では、プロセッサは、１または複数の処理ユニットを含んでよい。好ましくは、プロセッサは、アプリケーションプロセッサとモデムプロセッサを統合してよい。アプリケーションプロセッサは、主にオペレーティングシステム、ユーザインタフェース、アプリケーションプログラムなどを処理する。モデムプロセッサは、主に無線通信の処理を行う。モデムプロセッサは、プロセッサに統合されていない場合があることが理解され得る。
【０１４０】
任意で、実施形態では、折り畳み状態は折り畳まれた状態であり、空間的な位置関係は、第１の表示サブエリアが上方を向いており、第２の表示サブエリアが下方を向いており、処理モジュールは、画像を表示するように第１の表示サブエリアを制御するように具体的に構成されている。
【０１４１】
任意で、実施形態では、折り畳み状態は折り畳まれた状態であり、空間的な位置関係は、第２の表示サブエリアが上方を向いており、第１の表示サブエリアが下方を向いており、処理モジュールは、画像を表示するように第２の表示サブエリアを制御するように具体的に構成されている。
【０１４２】
本願の実施形態では、「上方」は水平面に垂直な上方向を表し、「下方」は水平面に垂直な下方向を表すことに注意すべきである。本願の実施形態では、「下方」および「下方」は一般的な概念であってよいことに注意すべきである。実際の適用においては、第１の表示サブエリアの方向と水平面に垂直な上方向との間の夾角（夾角が９０度未満）がある場合には、第１の表示サブエリアが上方を向くようにしてもよい。同様に、第１の表示サブエリアの方向と水平面に垂直な下方向との間の夾角（夾角が９０度未満）がある場合には、第１の表示サブエリアが下方を向くようにしてもよい。本願の実施形態は、これに限定されない。
【０１４３】
具体的には、折り畳まれた状態では、１つのディスプレイが下方を向き、１つのディスプレイが上方を向き、通常、ユーザは下向きのディスプレイを見ることができない。従って、処理モジュールは、画像を表示するために、１つの表示サブエリア、すなわち上向きのディスプレイを制御してよい。従って、本願の実施形態では、下向きのディスプレイに画像が表示されないようにしているので、電子機器のエネルギー消費量を低減することができ、ユーザ体験を向上させることができる。
【０１４４】
任意で、実施形態では、折り畳み状態は、折り畳まれていない状態であり、処理モジュールは、第１の表示サブエリアおよび第２の表示を制御して画像を表示するように具体的に構成されている。
【０１４５】
具体的には、折り畳まれていない状態では、２つの表示サブエリアが大きなディスプレイを形成するようにしてよい。従って、処理モジュールは、大画面に対するユーザの要求を満たすために、画像を表示するための２つの表示サブエリアを同時に制御してよい。
【０１４６】
折り畳み状態は、半畳み状態であり、処理モジュールは、第１の表示サブエリアおよび／または第２の表示を制御して画像を表示するように具体的に構成されている。
【０１４７】
具体的には、半畳み状態において、処理モジュールは、１つの表示サブエリアを制御して画像を表示させてよいし、または２つの表示サブエリアを制御して同時に画像を表示させてよい。本願の実施形態は、これに限定されない。
【０１４８】
例えば、実装例では、半畳み状態で、処理モジュールは、第１の表示サブエリアに画像を表示するように制御してよい。第１の表示サブエリアの面積は、第２の表示サブエリアの面積よりも大きいため、第１の表示サブエリアは、画像を表示する、例えば、動画やウェブページを表示するために使用される。従って、ユーザ体験を向上させることができる。
【０１４９】
他の例として、実装例では、半畳み状態では、処理モジュールは、第１の表示サブエリアと第２の表示サブエリアを制御して、同時に画像を表示するようにしてよい。
【０１５０】
具体的には、２人のユーザが対向しており、２人のユーザの間に電子機器が配置されている場合、処理モジュールは、２つの表示サブエリアの両方を制御して画像を表示するようにしてよい。従って、２人のユーザは、いずれも、それぞれ対応する表示サブエリアに表示されたコンテンツを閲覧することができる。従って、本願の実施形態では、１台の機械を２人のユーザで使用することができ、ユーザ体験を向上させることができる。
【０１５１】
具体的には、半畳み状態において、処理モジュールが第１の表示サブエリアと第２の表示サブエリアとを制御して同時に画像を表示させる場合、２つの表示サブエリアには同じコンテンツの画像が表示されることがある。例えば、２つの表示サブエリアの両方に同じ動画像が表示されてよい。任意で、２つの表示サブエリアは、異なるコンテンツを代替的に表示してよい。例えば、２人のユーザが異なるアプリケーションを使用している場合、１つの表示サブエリアには１つのアプリケーションの画像が表示され、他の表示には他のアプリケーションの画像が表示される。本願の実施形態は、これに限定されない。従って、本願の実施形態では、１台の機械を２人のユーザで使用することができ、ユーザ体験を向上させることができる。
【０１５２】
上述は、処理モジュールが、電子機器の状態に基づいて画像を表示するように第１の表示サブエリアおよび／または第２の表示を制御するように構成されている特定の場合を説明していることを理解されるべきである。任意で、実際の適用では、処理モジュールは、ユーザによって入力された命令に従って、画像を表示するための第１の表示サブエリアおよび／または第２の表示サブエリアを交互に選択してよい。本願の実施形態は、これに限定されない。
【０１５３】
本発明の実施形態における内容は、互いに組み合わせてよく、本願の実施形態はこれに限定されないことに注意すべきである。
【０１５４】
図２から図９の例は、本発明の実施形態を例示された特定の値または特定のシナリオに限定するのではなく、単に当業者が本発明の実施形態を理解するのを助けることを意図したものであることに注意すべきである。当業者は、図２から図９に示された例に従って、様々な均等の修正または変更を行うことが確実にでき、そのような修正または変更もまた、本発明の実施形態の範囲内に含まれる。
【０１５５】
例えば、図２から図９は、電子機器のディスプレイが折り畳まれていない状態で、アプリケーション文書の読取装置に直接対向しており、第１の表示サブエリアが移動しない場合に、左側の第２の表示サブエリアを時計回り方向に回転させたときにのみ、第２の表示サブエリアと第１の表示サブエリアとをあわせて折り畳むことができる場合を示したものである。しかしながら、本願の実施形態は、これに限定されない。例えば、本願の実施形態では、逆方向も使用することができる。具体的には、比較的大きな表示サブエリアが移動しない場合には、比較的小さな表示サブエリアが右側から反時計回りに回転して折り畳まれた状態を実装する。それに対応して、この場合、カメラの場所も対応して調整する必要がある。
【０１５６】
以下、電子機器が携帯電話である場合を例に用いて、本願の実施形態における携帯電話の構造について説明する。図１０は、本発明の実施形態による携帯電話９００の部分構成を示すブロック図である。図１０を参照すると、携帯電話９００は、無線周波数（Ｒａｄｉｏ  Ｆｒｅｑｕｅｎｃｙ、ＲＦ）回路９１０、電源９２０、プロセッサ９３０、メモリ９４０、入力ユニット９５０、表示ユニット９６０、センサ９７０、オーディオ回路９８０、無線フィデリティ（ｗｉｒｅｌｅｓｓ  ｆｉｄｅｌｉｔｙ、ＷｉＦｉ）モジュール９９０、および少なくとも１つのカメラ９１１などの構成要素を含む。当業者であれば、図１０に示された携帯電話の構造は、携帯電話を限定するものではないことを理解し得る。携帯電話は、図示した構成要素より多いか少ない構成要素を含んでよく、いくつかの構成要素を組み合わせてよく、または異なる構成要素の配列を有していてよい。
【０１５７】
以下、図１０を参照して、携帯電話９００の構成要素について詳細に説明する。
【０１５８】
ＲＦ回路９１０は、情報受信送信処理や通話処理において信号を受信および送信するように構成されていてよい。特に、基地局からダウンリンク情報を受信した後、ＲＦ回路９１０は、処理のためにダウンリンク情報をプロセッサ９３０に送信する。さらに、ＲＦ回路９１０は、携帯電話のアップリンクデータを基地局に送信する。通常、ＲＦ回路は、アンテナ、少なくとも１つの増幅器、トランシーバ、カプラ、低雑音増幅器（Ｌｏｗ  Ｎｏｉｓｅ  Ａｍｐｌｉｆｉｅｒ、ＬＮＡ）、デュプレクサなどを含むが、これらに限定されない。さらに、ＲＦ回路９１０は、無線通信を介してネットワークや別のデバイスとさらに交信してよい。無線通信には、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、一般パケット無線サービス（Ｇｅｎｅｒａｌ  Ｐａｃｋｅｔ  Ｒａｄｉｏ  Ｓｅｒｖｉｃｅ、ＧＰＲＳ）、コード分割多重アクセス（Ｃｏｄｅ  Ｄｉｖｉｓｉｏｎ  Ｍｕｌｔｉｐｌｅ  Ａｃｃｃｅｓｓ、ＣＤＭＡ）、広帯域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、長期進化（Ｌｏｎｇ  Ｔｅｒｍ  Ｅｖｏｌｕｔｉｏｎ、ＬＴＥ）、電子メール、ショートメッセージサービス（ｓｈｏｒｔ  ｍｅｓｓａｇｉｎｇ  ｓｅｒｖｉｃｅ、ＳＭＳ）などを含むが、これらに限定されず、任意の通信規格またはプロトコルを使用することができる。
【０１５９】
メモリ９４０は、ソフトウェアプログラムおよびモジュールを記憶するように構成されてよい。プロセッサ９３０は、ソフトウェアプログラムやメモリ９４０に記憶されたモジュールを起動することにより、携帯電話９００の各種機能アプリケーションやデータ処理を実行する。メモリ９４０は、主にプログラム格納エリアとデータ格納エリアとを含んでよい。プログラム格納エリアには、オペレーティングシステムや、少なくとも１つの機能（例えば、音声再生機能や画像再生機能など）に必要なアプリケーションプログラムなどが記憶されていてよい。なお、データ格納エリアには、携帯電話９００などの使用状況に応じて作成されたデータ（例えば、オーディオデータや電話帳など）が記憶されていてよい。さらに、メモリ９４０は、高速ランダムアクセスメモリを含んでよく、または、少なくとも１つの磁気ディスク記憶装置、フラッシュ記憶装置、または別の揮発性ソリッドステート記憶装置などの非揮発性メモリを含んでよい。
【０１６０】
入力ユニット９５０は、入力された桁または文字情報を受信し、携帯電話９００のユーザ設定および機能制御に関連するキー信号入力を生成するように構成されていてよい。具体的には、入力ユニット９５０は、タッチパネル９５１や他の入力装置９５２を含んでよい。タッチパネル９５１は、タッチスクリーンとも呼ばれ、ユーザによってタッチパネル９５１上またはタッチパネル９５１の近傍で実行されるタッチ操作（例えば、ユーザによってタッチパネル９５１上またはタッチパネル９５１の近傍において指やスタイラスなどの任意の適切な物体またはアクセサリを用いて実行される操作）を収集し、あらかじめ設定されたプログラムに基づいて対応する接続装置を駆動するようにしてよい。任意で、タッチパネル９５１は、タッチ検出装置とタッチコントローラの２つの部分を含んでよい。タッチ検出装置は、ユーザのタッチ方向を検出し、タッチ操作によってもたらされる信号を検出し、その信号をタッチコントローラに送信する。タッチコントローラは、タッチ検出装置からタッチ情報を受信し、タッチ情報をタッチ座標に変換し、次いでそのタッチ座標をプロセッサ９３０に送信し、プロセッサ９３０によって送信されたコマンドを受信して実行することができる。さらに、タッチパネル９５１は、抵抗膜方式、静電容量方式、赤外線方式、表面弾性波方式などの複数の方式で実装されてよい。入力ユニット９５０は、タッチパネル９５１の他に、他の入力装置９５２を含んでいてよい。具体的には、他の入力装置９５２は、物理キーボード、ファンクションキー（例えば、音量調節キーやオン／オフキー）、トラックボール、マウス、ジョイスティックなどのうちの１または複数を含んでよいが、これらに限定されない。
【０１６１】
なお、表示ユニット９６０は、ユーザが入力した情報やユーザに提供された情報、携帯電話９００の各種メニューを表示するように構成されていてよい。表示ユニット９６０は、表示パネル９６１を含んでよい。任意で、表示パネル９６１は、ＬＣＤ、ＯＬＥＤなどの形式で構成されていてよい。さらに、タッチパネル９５１は、表示パネル９６１をカバーしていてよい。タッチパネル９５１上またはその近傍でのタッチ操作を検出すると、タッチパネル９５１は、タッチ操作をプロセッサ９３０に送信してタッチイベントの種類を決定し、次いでプロセッサ９３０は、タッチイベントの種類に基づいて、表示パネル９６１上に対応する視覚出力を提供する。図１０において、タッチパネル９５１と表示パネル９６１は、携帯電話９００の入力および入力機能を実装するための２つの独立した構成要素として用いられる。しかしながら、ある実施形態では、タッチパネル９５１と表示パネル９６１は、携帯電話９００の入力出力機能を実装するために統合されていてよい。
【０１６２】
可能な実装例では、本願の実施形態におけるタッチパネル９５１および表示パネル９６１は、折り畳み可能であることが理解されるべきである。例えば、タッチパネル９５１や表示パネル９６１は、フレキシブルな材料からなる。本願の実施形態では、タッチパネルと表示パネルを総称してディスプレイと呼ぶことがある。本願の実施形態は、これに限定されない。ディスプレイは、第１の表示サブエリアと第２の表示サブエリアとを含んでよい。任意で、本願の実施形態の携帯電話は、折り畳み回転軸（図示せず）をさらに含んでよく、折り畳み回転軸は、第１の表示サブエリアおよび第２の表示サブエリアを折り畳みまたは展開するように構成されている。
【０１６３】
携帯電話９００は、少なくとも１つのセンサ９７０、例えば、光センサ、モーションセンサ、および別のセンサ、例えば、加速度センサ（重力検出装置とも呼ばれ得る）および折り畳み回転軸センサ（折り畳み回転軸検出装置とも呼ばれ得る）をさらに含んでよい。具体的には、光センサは、周辺光センサと近接センサを含んでよい。周辺光センサは、周辺光の明るさに基づいて表示パネル９６１の輝度を調整してよく、携帯電話９００が耳に近づくと、近接センサは、表示パネル９６１および／またはバックライトを消灯してよい。モーションセンサの一種である加速度センサ（重力センサとも呼ばれ得る）は、異なる方向（通常は３軸）の加速度の大きさを検出することができ、静止状態でのマグニチュードや重力方向を検出することができ、携帯電話の姿勢を識別するアプリケーション（横画面と縦画面の間の切り換え、２つの表示サブエリア間の空間的な位置関係、関連するゲーム、磁気計の姿勢キャリブレーションなど）や、振動識別に関連する機能（歩数計やノックなど）などに利用され得る。折り畳み回転軸検出装置は、折り畳み回転軸の状態を検出し、第１のディスプレイの折り畳み状態と第２のディスプレイの折り畳み状態とをさらに検出してよい。本願の実施形態は、これに限定されない。携帯電話９００には、ジャイロスコープ、気圧計、湿度計、温度計、赤外線センサなどの他のセンサが構成されていてよく、詳細はここでは説明しない。
【０１６４】
オーディオ回路９８０、スピーカ９８１、およびマイク９８２は、ユーザと携帯電話９００との間のオーディオインタフェースを提供してよい。オーディオ回路９８０は、受信したオーディオデータを電気信号に変換して次いで電気信号をスピーカ９８１に送信してよく、スピーカ９８１は、電気信号を出力用のオーディオ信号に変換する。さらに、マイク９８２は、取り込んだオーディオ信号を電気信号に変換し、オーディオ回路９８０は、電気信号を受信して電気信号をオーディオデータに変換し、次いでオーディオデータをＲＦ回路９１０に出力し、次に、オーディオデータを他の携帯電話に送信し、またはオーディオデータをメモリ９４０に出力して更なる処理を行う。可能な実装例では、スピーカ９８１およびマイク９８２などの構成要素の機能は、ハードウェアスペースを節約するために、および／またはベゼルレス画面の画面対本体比を増加させるために、別の構成要素に統合されてよい。
【０１６５】
ＷｉＦｉ（登録商標）は短距離無線送信技術である。Ｗｉ−Ｆｉモジュール９９０を使用することにより、携帯電話９００は、ユーザが電子メールを送信および受信したり、ウェブページを閲覧したり、ストリーミングメディアにアクセスしたりするなどに役立ち得る。ＷｉＦｉ（登録商標）モジュール９９０は、ユーザにブロードバンドインターネットへの無線アクセスを提供する。図１では、ＷｉＦｉ（登録商標）モジュール９９０が示されているが、ＷｉＦｉ（登録商標）モジュール１９０は、携帯電話９００の必要な部分ではなく、本発明の本質を変えることなく、必要に応じて省略されてよいことが理解されよう。
【０１６６】
少なくとも１つのカメラ９１１は、第１の表示サブエリアの背面に配置されてよい。第１の表示サブエリアと第２の表示サブエリアとが折り畳まれた状態にあるとき、第１の表示サブエリアの背面と第２の表示サブエリアの背面とが対向しており、少なくとも１つのカメラが第２の表示サブエリアの正面カメラとして使用されている。
【０１６７】
プロセッサ９３０は、携帯電話９００の制御中枢センタであり、様々なインタフェースや回線を用いて携帯電話全体の様々な部分に接続され、携帯電話９００の様々な機能を実行し、メモリ９４０に記憶されたソフトウェアプログラムおよび／またはモジュールを起動または実行しかつメモリ９４０に記憶されたデータを呼び出してデータ処理を行うことにより、携帯電話ベースの様々なサービスを実装する。例えば、プロセッサ９３０は、第１の表示サブエリアおよび／または第２の表示を制御して、電子機器の状態であって、例えば、重力検出装置や折り畳み回転軸検出装置などの検出モジュールによって検出された状態に基づいて画像を表示するようにしてよい。任意で、プロセッサ９３０は、１または複数の処理ユニットを含んでよい。好ましくは、アプリケーションプロセッサとモデムプロセッサは、プロセッサ９３０に統合されてよい。アプリケーションプロセッサは、主にオペレーティングシステム、ユーザインタフェース、アプリケーションプログラムなどを処理する。モデムプロセッサは、主に無線通信の処理を行う。モデムプロセッサは、プロセッサ９３０に統合されていない場合があることが理解され得る。
【０１６８】
携帯電話９００は、各構成要素に電力を供給する電源９２０（バッテリなど）をさらに含む。好ましくは、電源は、電力供給管理システムを使用してプロセッサ９３０に論理的に接続されることにより、電力供給管理システムを使用して充電管理、放電管理、および消費電力管理などの機能を実装してよい。
【０１６９】
図示していないが、ブルートゥース（登録商標）モジュールなどが携帯電話機９００にさらに含まれていてよく、詳細はここで再度説明しない。
【０１７０】
以下、本願の実施形態における電子機器に適用される表示方法について説明する。電子機器は、先述の本願の実施形態における任意の電子機器である。具体的には、方法は、電子機器の処理モジュールによって実行されてよい。電子機器によって表示される画像は、アプリケーションの画像であってよいし、または少なくとも１つのカメラによって撮影された画像であってよいことが理解されるべきである。少なくとも１つのカメラで撮影された画像が第２の表示サブエリアを用いて表示される場合、この場合は、ユーザの自撮りシナリオに対応していてよい。本願の実施形態は、これに限定されない。具体的には、方法は、以下の段階を含む。電子機器の状態を検出する段階であって、電子機器の状態が、第１の表示サブエリアの折り畳み状態と、第２の表示サブエリアの折り畳み状態と、第１の表示サブエリアと第２の表示サブエリアとの間の空間的な位置関係とを含む、電子機器の状態を検出する段階と、電子機器の状態に基づいて画像を表示するように第１の表示サブエリアおよび／または第２の表示を制御する段階。
【０１７１】
具体的には、折り畳み状態は、折り畳まれた状態、折り畳まれていない状態、半畳み状態を含んでいてよい。空間的な位置関係は、第１の表示サブエリアが上方を向いており、第２の表示サブエリアが下方を向いていること、第１の表示サブエリアが下方を向いており、第２の表示サブエリアが上方を向いていること、第１の表示サブエリアと第２の表示サブエリアとが同じ方向を向いていること、または第１の表示サブエリアの方向と第２の表示サブエリアの方向との間に夾角があること（言い換えれば、２つの表示サブエリアが半畳み状態にあること）を含んでいてよい。夾角の値は１８０度より大きく、３６０度より小さい。
【０１７２】
具体的には、処理モジュールは、電子機器の状態であって、検出モジュールにより検出された状態を取得し、電子機器の状態に基づいて、ディスプレイの表示形式を自動的に決定するようにしてよいし、言い換えれば、第１の表示サブエリアと第２の表示サブエリアの１つまたは２つのディスプレイを制御して、画像を表示させるようにしてよい。従って、本願の実施形態の電子機器は、ユーザが電子機器のディスプレイを反転させるなどの動作に基づいて、ユーザが使いやすい形でディスプレイの表示形式を決定することができ、それに対応して対応する表示形式を決定できる。従って、ユーザ体験を向上させることができる。
【０１７３】
検出モジュールおよび処理モジュールの説明のために、上記の説明を参照することが理解されるべきである。詳細は、ここでは再度説明しない。
【０１７４】
任意で、実施形態では、折り畳み状態が折り畳まれた状態であり、空間的な位置関係が、第１の表示サブエリアが上方を向き、第２の表示サブエリアが下方を向き、電子機器の状態に基づいて画像を表示するように第１の表示サブエリアおよび／または第２の表示を制御することは、電子機器の状態に基づいて画像を表示するように第１の表示サブエリアを制御することを含む。
【０１７５】
代替的に、実施形態では、折り畳み状態が折り畳まれた状態であり、空間的な位置関係が、第２の表示サブエリアが上方を向き、第１の表示サブエリアが下方を向き、電子機器の状態に基づいて画像を表示するように第１の表示サブエリアおよび／または第２の表示を制御することは、電子機器の状態に基づいて画像を表示するように第２の表示サブエリアを制御することを含む。
【０１７６】
本願の実施形態では、「上方」は水平面に垂直な上方向を表し、「下方」は水平面に垂直な下方向を表すことに注意すべきである。本願の実施形態では、「下方」および「下方」は一般的な概念であってよいことに注意すべきである。実際の適用では、第１の表示サブエリアの方向と水平面に垂直な上方向との間の夾角（夾角が９０度未満）がある場合には、第１の表示サブエリアが上方を向くとも称され得る。同様に、第１の表示サブエリアの方向と水平面に垂直な下方向との間の夾角（夾角が９０度未満）がある場合には、第１の表示サブエリアが下方を向くようにしてもよい。本願の実施形態は、これに限定されない。
【０１７７】
具体的には、折り畳まれた状態では、１つのディスプレイが下方を向き、１つのディスプレイが上方を向き、通常、ユーザは下向きのディスプレイを見ることができない。従って、処理モジュールは、画像を表示するために、１つの表示サブエリア、すなわち上向きのディスプレイを制御してよい。従って、本願の実施形態では、下向きのディスプレイに画像が表示されないようにしているので、電子機器のエネルギー消費量を低減することができ、ユーザ体験を向上させることができる。
【０１７８】
代替的に、実施形態では、折り畳み状態が折り畳まれた状態であり、電子機器の状態に基づいて画像を表示するように第１の表示サブエリアおよび／または第２の表示を制御することは、電子機器の状態に基づいて画像を表示するように第１の表示サブエリアおよび第２の表示を制御することを含む。
【０１７９】
具体的には、折り畳まれていない状態では、２つの表示サブエリアが大きなディスプレイを形成するようにしてよい。従って、処理モジュールは、ユーザの大画面に対する要求を満たすために、画像を表示するために、２つの表示サブエリアを同時に制御してよい。
【０１８０】
代替的に、実施形態では、折り畳み状態は、半畳み状態である。具体的には、半畳み状態において、処理モジュールは、１つの表示サブエリアを制御して画像を表示させてよいし、または２つの表示サブエリアを制御して同時に画像を表示させてよい。本願の実施形態は、これに限定されない。
【０１８１】
例えば、実装例では、半畳み状態において、電子機器の状態に基づいて画像を表示するように第１の表示サブエリアおよび／または第２の表示サブエリアを制御することは、電子機器の状態に基づいて画像を表示するように第１の表示サブエリアを制御することを含む。
【０１８２】
第１の表示サブエリアの面積は、第２の表示サブエリアの面積よりも大きいため、第１の表示サブエリアは、画像を表示する、例えば、動画やウェブページを表示するために使用される。従って、ユーザ体験を向上させることができる。
【０１８３】
他の例では、実装例では、半畳み状態において、電子機器の状態に基づいて画像を表示するように第１の表示サブエリアおよび／または第２の表示を制御することは、
第１の表示サブエリアおよび第２の表示サブエリアを制御して、電子機器の状態に基づいて画像を同時に表示することを含む。
【０１８４】
具体的には、２人のユーザが対向しており、２人のユーザの間に電子機器が配置されている場合、処理モジュールは、２つの表示サブエリアの両方を制御して画像を表示するようにしてよい。従って、２人のユーザは、いずれも、それぞれ対応する表示サブエリアに表示されたコンテンツを閲覧することができる。従って、本願の実施形態では、１台の機械を２人のユーザで使用することができ、ユーザ体験を向上させることができる。
【０１８５】
具体的には、半畳み状態において、処理モジュールが第１の表示サブエリアと第２の表示サブエリアとを制御して同時に画像を表示させる場合、２つの表示サブエリアには同じコンテンツの画像が表示されることがある。例えば、２つの表示サブエリアの両方に同じ動画像が表示されてよい。任意で、２つの表示サブエリアは、異なるコンテンツを代替的に表示してよい。例えば、２人のユーザが異なるアプリケーションを使用している場合、１つの表示サブエリアには一方のアプリケーションの画像が表示され、他の表示には他のアプリケーションの画像が表示される。本願の実施形態は、これに限定されない。従って、本願の実施形態では、１台の機械を２人のユーザで使用することができ、ユーザ体験を向上させることができる。
【０１８６】
例えば、ユーザは電子機器を使用する。電子機器が折り畳まれた状態にあるとき、第１の表示サブエリアが上方を向いており、第１の表示サブエリアには、カメラ（この場合、カメラは第１の表示サブエリアの背面カメラとして使用される）によって撮影された画像が表示され、ユーザが電子機器を反転させた後、第２の表示サブエリアが上方を向いており、この状態を取得した後、処理モジュールは、表示されている画像を第１の表示サブエリアから第２の表示サブエリアに切り換えてもよく、言い換えれば、第２の表示サブエリア（この場合、カメラは第１の表示サブエリアの背面カメラとして使用される）を利用して、ユーザの自撮り画像を表示する。
【０１８７】
先述では、処理モジュールが、電子機器の状態に基づいて第１の表示サブエリアおよび／または第２の表示を制御して画像を表示するように構成されている特定の場合について説明した。
【０１８８】
代替的に、実際の適用では、処理モジュールは、ユーザによって入力された命令に従って、画像を表示するための第１の表示サブエリアおよび／または第２の表示サブエリアを代替的に選択してよい。本願の実施形態は、これに限定されない。例えば、電子機器が折り畳まれた状態にあり、第１の表示サブエリアがカメラ（この場合、カメラは第１の表示サブエリアの背面カメラとして使用される）で撮影した画像を表示している場合、ユーザが第１の表示サブエリアに表示されている切り換えボタン（例えば、カメラを切り換えるボタンや表示されている画像を切り換えるボタン）をタップした後、ユーザの命令を取得した後、処理モジュールは、表示されている画像を第１の表示サブエリアから第２の表示サブエリアに切り換えるようにしてよい。さらに、ユーザが電子機器を反転させて、第２の表示サブエリアに表示された自撮りを表示させる（この場合、カメラは第１の表示サブエリアの背面カメラとして使用される）。
【０１８９】
従って、本願の実施形態では、電子機器の少なくとも１つのカメラは、第１の表示サブエリアにおける背面カメラとして使用されてよいし、または第２の表示サブエリアにおける正面カメラとして使用されてよい。言い換えれば、本願の実施形態の少なくとも１つのカメラは、背面カメラとして使用してよいし、または正面カメラとして使用して自撮りをするようにしてよい。本願の実施形態では、第１の表示サブエリアの背面に配置された少なくとも１つのカメラは、２つの用途を有していてよく、すなわち、背面カメラとして使用されてよいし、または正面カメラとして使用されてよい。従って、本願の実施形態では、正面カメラは、別途配置しなくてもよい。従って、本願の実施形態では、ディスプレイの正面にカメラが配置されていない場合に、自撮り機能をサポートすることができる。ディスプレイの正面にカメラが配置されていないため、本願の電子機器は、ベゼルレス画面を求めるユーザの要求を満たすために、比較的高い画面対本体比を有していてもよい。
【０１９０】
図７Ａおよび図７Ｂに示すように、可能な実装例では、電子機器２００の折り畳み回転軸の長さは、電子機器２００の長辺の長さと一致しているので、電子機器２００は、折り畳み回転軸を使用して、短辺部分を上側部分と下側部分との２つの部分に折り畳む。電子機器２００の折り畳み回転軸の長さが電子機器２００の長辺の長さと一致することは、折り畳み回転軸の長さが長辺の長さ値と同じであるか、またはそれに近い値であることであってよい。代替的に、折り畳み回転軸の長さ値が長辺の長さ値に近いことが理解される。代替的に、図５に示すように、実装例では、電子機器２００の折り畳み回転軸の長さは、折り畳まれた携帯電話の幅未満でない。この場合、電子機器２００が折り畳まれていない状態にあるときの電子機器２００の長辺の長さと短辺の長さとは、互いに近接していてよいし、または格段に異なっていてよい。
【０１９１】
可能な実装例では、電子機器２００は、アクセサリを収容するように構成された収容溝をさらに備えてよい。例えば、図１１に示すように、電子機器２００の第１の表示サブエリア２１１の背面に設けられた突出部分（厚さが第２の厚さ値であるエリア、または第１の背面サブエリア２１３に対応するエリア）には、収容溝１００１が設けられていてよく、収容溝１００１は、スタイラス１００２を収容するために用いられてよい。ユーザがスタイラス１００２を使用する際に、スタイラス１００２を収容溝１００１から取り出し、ユーザがスタイラス１００２の使用を完了した後に、収容溝１００１に押し込むようにしてよい。スタイラス１００２は、タッチスタイラスであってよい。任意で、図１２に示すように、電子機器２００の第１の表示サブエリア２１１の背面の厚さが第２の厚さ値であるエリアに、別の構成要素を配置してよい。例えば、図１１とは異なる形式の手書きツールや、無線ヘッドセットなどの別のアクセサリを、厚さが第２の厚さ値となるエリアに配置する。任意で、収容溝の厚さと、対応するアクセサリの厚さとは、第１の厚さ値よりも大きくてよい。
【０１９２】
可能な実装例では、別の構成要素は、電子機器２００の第１の表示サブエリア２１１の背面の突出部分に統合されている／配置されていてもよい。電子機器２００の第１の表示サブエリア２１１の背面に設けられた突出部分は、比較的大きなスペースを有している。さらに、カメラの他に、例えば、１台、２台、３台、４台、またはそれ以上のカメラの他に、フラッシュ、アンテナ、ボタン、マイクなどの他の構成要素を配置してもよい。ボタンは、電源ボタンや音量ボタンを含んでいてもよいし、他のボタンを含んでいてもよい。ボタンは、第１の背面サブエリア２１３に配置されていてもよいし、突出部分の側縁部に配置されていてもよい。アンテナは、モバイル通信ネットワークの信号を受信して送信するためのアンテナを含んでもよいし、ＷｉＦｉ（登録商標）、ＮＦＣ、短距離通信（Ｎｉｒｅａｒ  Ｆｉｅｌｄ  Ｃｏｍｍｕｎｉｃａｔｉｏｎ）、ブルートゥース（登録商標）などの短距離通信ネットワークのアンテナを含んでもよい。
【０１９３】
可能な実装例では、電子機器２００の第１の表示サブエリア２１１の背面の突出部分に、第１の厚さ値よりも高い厚さを有する別の構成要素を、別の突出部分を減少させる／回避するために、突出部分に統合／配置してもよい。例えば、厚さ値が第１の厚さ値よりも大きい全ての機器は、電子機器２００の第１の表示サブエリア２１１の背面に設けられた突出部分に統合されていてもよい。
【０１９４】
"本明細書を通じて言及される「一実施形態」または「実施形態」は、実施形態に関連する特定の機能、構造、または特徴が本発明の少なくとも１つの実施形態に含まれることを意味するものではない。従って、本明細書全体に現れる「一実施形態では」または「ある実施形態では」は、同じ実施形態を指すものではない。さらに、これらの特定の機能、構造、または特徴は、任意の適切な方式を用いて、１または複数の実施形態において組み合わせてもよい。
【０１９５】
本明細書における用語「および／または」は、関連するオブジェクトを記載するためのアソシエーション関係のみを記載し、３つの関係が存在し得ることを表す。例えば、Ａおよび／またはＢは、以下の３つの場合を表すことができる。Ａのみが存在する場合、ＡとＢの両方が存在する場合、Ｂのみが存在する場合である。さらに、本明細書において、文字「／」は、通常、関連するオブジェクト間の「または」の関係を示す。
【０１９６】
当業者は、本明細書に開示した実施形態に記載の例を組み合わせると、ユニットおよびアルゴリズムの段階は、電子ハードウェア、または、コンピュータソフトウェアと電子ハードウェアとの組み合わせで実装されてよいことを認識するであろう。機能がハードウェアで実行されるかソフトウェアで実行されるかは、技術的解決手段の特定の応用や設計制約条件に依存する。当業者であれば、異なる方法を用いて、説明した機能を特定の用途ごとに実装するかもしれないが、そのような実装が本願の範囲を超えるものとみなされるべきではない。
【０１９７】
便利かつ簡潔である説明を目的とし、先述のシステム、装置、およびユニットの詳細な作動プロセスに関しては、上述の方法の実施形態における対応するプロセスを参照されたいことが当業者には明らかに理解されてよい。詳細は、ここでは再度説明しない。
【０１９８】
本願で提供されるいくつかの実施形態において、開示されたシステム、装置、および方法は、他の方式で実装されてもよいことが理解されるべきである。例えば、説明されている装置の実施形態は、単なる例に過ぎない。例えば、ユニットの分割は単なる論理的機能の分割にすぎず、実際の実装では他の分割であってもよい。例えば、複数のユニットまたは構成要素は別のシステムに組み合わされまたは統合されてよく、または、いくつかの特徴が無視されまたは実行されなくてよい。さらに、表示されまたは議論される相互連結もしくは直接連結または通信接続は、いくつかのインタフェースを使用することにより実装され得る。装置間またはユニット間の間接連結または通信接続は、電子的形態、機械的形態、または他の形式で実装されてよい。
【０１９９】
別個の部分として説明されたユニットは、物理的に別個であってもなくてもよく、ユニットとして表示された部分は、物理ユニットであってもなくてもよく、１つの場所に配置されてもよく、または複数のネットワークユニットに分散されてもよい。これらのユニットのいくつかまたはすべてが、実施形態の解決手段の目的を達成するために、実際の要求に基づいて選択されてよい。
【０２００】
さらに、本願の実施形態における機能ユニットは、１つの処理ユニットに統合されてもよく、または、それぞれのユニットは物理的に単独で存在してもよく、または、２つまたはそれより多くのユニットが１つのユニットに統合される。
【０２０１】
これらの機能がソフトウェア機能ユニットの形式で実装され、別個の製品として販売されるか又は使用される場合、これらの機能はコンピュータ可読記憶媒体に記憶されてよい。そのような理解に基づいて、基本的に本願の技術的解決手段または従来技術に対して寄与する部分または技術的解決手段のいくつかが、ソフトウェア製品の形式で実装されてよい。コンピュータソフトウェア製品は、記憶媒体に記憶されており、コンピュータ装置（パーソナルコンピュータ、サーバ、またはネットワーク装置であってもよい）に、本願の実施形態に記載された方法の全てまたは一部の段階を実行するように指示するためのいくつかの命令を含む。上記の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶できる任意の媒体を含む。
【０２０２】
上記の説明は、単に本願の特定の実装例に過ぎず、本願の保護範囲を限定することを意図するものではない。本願に開示された技術的範囲内で当業者が容易に考え出す、あらゆる変形又は置換は、本願の保護範囲内に含まれるものとする。従って、本願の保護範囲は、特許請求の範囲の保護範囲に従うものとする。
【図１】
2021516914.tif 000003
【図２】
2021516914.tif 000004
【図３】
2021516914.tif 000005
【図４】
2021516914.tif 000006
【図５】
2021516914.tif 000007
【図６】
2021516914.tif 000008
【図７Ａ】
2021516914.tif 000009
【図７Ｂ】
2021516914.tif 000010
【図８】
2021516914.tif 000011
【図９】
2021516914.tif 000012
【図１０】
2021516914.tif 000013
【図１１】
2021516914.tif 000014
【図１２】
2021516914.tif 000015
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
電子機器であって、
第１の表示部と第２の表示部を含む折り畳み可能なディスプレイと、
前記第１の表示部と前記第２の表示部との間に配置されたシャフトであって、前記第１の表示部と前記第２の表示部は、前記折り畳み可能なディスプレイを折り畳みまたは展開するために、前記シャフトを中心に互いに回転するように構成されている、シャフトと、
前記第１の表示部のサブエリアに配置された少なくとも１つのカメラであって、前記第１の表示部の前記サブエリアは、前記折り畳み可能なディスプレイが折り畳まれたときに前記電子機器の厚さに等しい厚さを有する、少なくとも１つのカメラと、を有する、
電子機器。
【請求項２】
前記少なくとも１つのカメラは、前記第１の表示部の前記サブエリアの背面側に配置されており、
前記折り畳み可能なディスプレイが展開されたときに、前記少なくとも１つのカメラは背面カメラである、請求項１に記載の電子機器。
【請求項３】
前記少なくとも１つのカメラは、前記第１の表示部の前記サブエリアの正面に配置されており、
前記折り畳み可能なディスプレイが展開されたときに、前記少なくとも１つのカメラは正面カメラである、請求項１に記載の電子機器。
【請求項４】
前記折り畳み可能なディスプレイが展開されたときに、前記折り畳み可能なディスプレイの全体の表示エリアの面積と、前記折り畳み可能なディスプレイが配置された前記電子機器の第１の端面の面積との比が、第１の画面対本体比よりも大きく、前記折り畳み可能なディスプレイの全体の表示エリアが、前記第１の表示部と前記第２の表示部とを有する、請求項１に記載の電子機器。
【請求項５】
前記折り畳み可能なディスプレイが折り畳まれたときに、前記第１の表示部の面積と、前記第１の表示部が配置された前記電子機器の第２の端面の面積との比が、第２の画面対本体比よりも大きい、請求項１に記載の電子機器。
【請求項６】
前記第１の表示部の面積は、前記第２の表示部の面積よりも大きく、
前記折り畳み可能なディスプレイが折り畳まれたときに、前記少なくとも１つのカメラが、前記第１の表示部の第１の背面サブエリアに配置されており、
前記第１の表示部の背面は、第１の背面サブエリアと第２の背面サブエリアとを有し、前記第１の背面サブエリアは、前記第１の表示部の背面であって前記第２の表示部の背面と重ならないエリアを有し、前記第２の背面サブエリアは、前記第１の表示部の背面であって前記第２の表示部の背面と重なるエリアを有する、請求項１に記載の電子機器。
【請求項７】
前記第１の表示部の第２の背面サブエリアに対応する本体の厚さと、前記第２の表示部の第２の背面サブエリアに対応する本体の厚さとは、それぞれ第１の厚さ値を有し、
前記第１の表示部の前記第１の背面サブエリアに対応する本体の厚さは第２の厚さ値を有し、
前記第２の厚さ値は前記第１の厚さ値より大きいまたはこれと等しい、請求項６に記載の電子機器。
【請求項８】
前記第２の厚さ値が前記第１の厚さ値の２倍である、請求項７に記載の電子機器。
【請求項９】
前記第１の背面サブエリアは、第１のエリアと第２のエリアとを有し、前記少なくとも１つのカメラは前記第１のエリアに配置されており、
前記電子機器の前記第２のエリアに対応する本体の厚さ、前記電子機器の前記第２の背面サブエリアに対応する本体の厚さ、および前記電子機器の前記第２の表示部に対応する本体の厚さのそれぞれは、第３の厚さ値であり、
前記電子機器の前記第１のエリアに対応する本体の厚さが第４の厚さ値であり、前記第４の厚さ値が前記第３の厚さ値より大きいまたはこれと等しい、請求項６に記載の電子機器。
【請求項１０】
前記シャフトは、前記折り畳み可能なディスプレイを半畳み状態で保持するようにさらに構成されており、
前記折り畳み可能なディスプレイが前記半畳み状態にあるときに、前記第１の表示部の第１の側縁部と前記第２の表示部の第２の側縁部とが、前記電子機器のサポートを提供するように構成され、
前記第１の側縁部と前記第２の側縁部とは２つの離間した側縁部である、請求項１に記載の電子機器。
【請求項１１】
前記折り畳み可能なディスプレイの折り畳みおよび展開と、前記第１の表示部と前記第２の表示部との間の空間的な位置関係を検出するように構成される検出モジュールと、
前記折り畳み可能なディスプレイの折り畳みまたは展開に基づいて画像を表示するように前記第１の表示部および前記第２の表示部の少なくとも１つを制御するように構成される処理モジュールと、
をさらに有する、請求項１に記載の電子機器。
【請求項１２】
前記折り畳み可能なディスプレイが折り畳まれたときに、前記第１の表示部が正面を向いており、前記第２の表示部が背面を向いており、前記処理モジュールが、前記第１の表示部を制御して画像を表示するように構成されている、請求項１１に記載の電子機器。
【請求項１３】
前記折り畳み可能なディスプレイが折り畳まれたときに、前記第２の表示部が正面を向いており、前記第１の表示部が背面を向いており、前記処理モジュールが、前記第２の表示部を制御して画像を表示するように構成されている、請求項１１に記載の電子機器。
【請求項１４】
前記折り畳み可能なディスプレイが展開されるとき、前記処理モジュールは、前記第１の表示部と前記第２の表示部とをあわせて制御して画像を表示するように構成されている、請求項１１に記載の電子機器。
【請求項１５】
前記折り畳み可能なディスプレイが半畳み状態であるときに、前記処理モジュールは、前記第１の表示部と前記第２の表示部とをあわせて制御して画像を表示するように構成されている、請求項１１に記載の電子機器。
【請求項１６】
前記シャフトの長さは、前記電子機器の長辺よりも短いかこれと等しく、前記折り畳み可能なディスプレイが折り畳まれたときの前記電子機器の幅よりも小さいかこれと等しい、請求項１に記載の電子機器。
【請求項１７】
前記第１の表示部の第１の背面サブエリアは、アクセサリを収容するように構成された溝を有する、請求項６に記載の電子機器。
【請求項１８】
前記アクセサリはスタイラスまたはイヤホンである、請求項１７に記載の電子機器。
【請求項１９】
前記第１の表示部の前記第１の背面サブエリアは、アンテナ、フラッシュ、マイク、およびボタンのグループの少なくとも１つを有する、請求項６に記載の電子機器。
【請求項２０】
携帯端末であって、
折り畳み可能なディスプレイと、
第１の本体部および第２の本体部であって、これらは前記第１の本体部および前記第２の本体部に配置された少なくとも折り畳み可能なディスプレイを介して結合され、前記折り畳み可能なディスプレイが前記第１の本体部の第１の側面に付属した第１の表示サブエリアと、前記第２の本体部の第１の側面に付属した第２の表示サブエリアとを有する、第１の本体部および第２の本体部と、
前記第１の本体部と前記第２の本体部との間に配置されたシャフトであって、前記第１の本体部および前記第２の本体部は前記シャフトに取り付けられ、前記折り畳み可能なディスプレイを折り畳みまたは展開するために、前記シャフトを中心に回転するように構成されている、シャフトと、
前記第１の本体部に配置されたカメラと、を有し、
前記第１の本体部は、第１のサブ部および第２のサブ部を含み、前記第１の本体部の前記第１のサブ部は、第１の本体の厚さを有し、前記第１の本体部の前記第２のサブ部は、第２の本体の厚さを有し、前記第１の本体の厚さは、前記第２の本体の厚さよりも大きい、携帯端末。
【請求項２１】
前記少なくとも１つのカメラは、前記第１の本体部のサブエリアの背面側に配置されており、
前記折り畳み可能なディスプレイが展開されたときに、前記少なくとも１つのカメラは背面カメラである、請求項２０に記載の携帯端末。
【請求項２２】
前記少なくとも１つのカメラは、前記第１の本体部のサブエリアの正面側に配置されており、
前記折り畳み可能なディスプレイが展開されたときに、前記少なくとも１つのカメラは正面カメラである、請求項２０に記載の携帯端末。
【請求項２３】
前記折り畳み可能なディスプレイが展開されたときに、前記折り畳み可能なディスプレイの全体の表示エリアの面積と、前記折り畳み可能なディスプレイが配置された電子機器の第１の端面の面積との比が、第１の画面対本体比よりも大きく、前記折り畳み可能なディスプレイの前記全体の表示エリアが、前記第１の本体部と前記第２の本体部を有する、請求項２０に記載の携帯端末。
【請求項２４】
前記折り畳み可能なディスプレイが折り畳まれたときに、前記第１の本体部が配置された電子機器の第２の端面の面積に対する前記第１の本体部の面積の比が、第２の画面対本体比よりも大きい、請求項２０に記載の携帯端末。
【請求項２５】
前記第１の本体部の面積は、前記第２の本体部の面積よりも大きく、
前記折り畳み可能なディスプレイが折り畳まれたとき、前記少なくとも１つのカメラは、前記第１の本体部の第１の背面サブエリアに配置されており、
前記第１の本体部の背面は、前記第１の背面サブエリアと第２の背面サブエリアとを有し、前記第１の背面サブエリアは、前記第１の本体部の背面であって前記第２の本体部の背面と重ならないエリアを有し、前記第２の背面サブエリアは、前記第１の本体部の背面であって前記第２の本体部の背面と重なるエリアを有する、請求項２０に記載の携帯端末。
【請求項２６】
前記第１の本体部の前記第２の背面サブエリアに対応する本体の厚さと、前記第２の本体部に対応する本体の厚さは、それぞれ第１の厚さ値を有し、
前記第１の本体部の前記第１の背面サブエリアに対応する本体の厚さが第２の厚さ値を有し、
前記第２の厚さ値は前記第１の厚さ値より大きいまたはこれと等しい、請求項２５に記載の携帯端末。
【請求項２７】
前記第２の厚さ値が前記第１の厚さ値の２倍である、請求項２６に記載の携帯端末。
【請求項２８】
電子機器であって、
第１の表示部と第２の表示部を含む折り畳み可能なディスプレイと、
前記第１の表示部と前記第２の表示部との間に配置されたシャフトであって、前記第１の表示部と前記第２の表示部は、折り畳み可能なディスプレイを折り畳むまたは展開するために、前記シャフトを中心に互いに回転するように構成されている、シャフトと、
前記第１の表示部のサブエリアに配置された少なくとも１つのカメラであって、前記第１の表示部の前記サブエリアは、前記折り畳み可能なディスプレイが展開されたときに前記電子機器の厚さより大きい厚さを有する、少なくとも１つのカメラと、を有する、
電子機器。
【国際調査報告】
2021516914.tif 000016
2021516914.tif 000017
2021516914.tif 000018
2021516914.tif 000019
2021516914.tif 000020